(57)【特許請求の範囲】
【請求項１】
ワイヤレス通信の方法であって、
ワイヤレス通信を送信するための２つまたはそれ以上の利用可能なワイヤレス通信チャネルのセットを識別することと、
第１の時間期間中の前記ワイヤレス通信の送信のために利用可能である利用可能なワイヤレス通信チャネルの前記セットのうちの少なくとも１つのワイヤレス通信チャネルを識別することと、
前記第１の時間期間中の送信のために利用可能な前記識別された少なくとも１つのワイヤレス通信チャネルを示す完全性検査情報を選択することと、
前記第１の時間期間中の前記識別された少なくとも１つのワイヤレス通信チャネル中で、前記完全性検査情報と、同時に前記ワイヤレス通信とを送信することと
を備える方法。
【請求項２】
利用可能なワイヤレス通信チャネルの前記セットのうちのどのワイヤレス通信チャネルが前記ワイヤレス通信を送信するために使用されるかに少なくとも部分的に基づいて、前記少なくとも１つのワイヤレス通信チャネルの各々上の送信内の前記完全性検査情報のロケーションを決定すること
をさらに備える、請求項１に記載の方法。
【請求項３】
前記完全性検査情報が、前記決定されたロケーションにおけるリソース要素（ＲＥ）に一様にハッシングされた知られているビットシーケンスを備える、請求項２に記載の方法。
【請求項４】
利用可能なワイヤレス通信チャネルの前記セットのうちのどのワイヤレス通信チャネルが前記ワイヤレス通信を送信するために使用されるかに少なくとも部分的に基づいて、前記完全性検査情報のためのスクランブリングシーケンスを決定すること
をさらに備える、請求項１に記載の方法。
【請求項５】
前記完全性検査情報が、前記第１の時間期間中の送信のために利用可能である利用可能なワイヤレス通信チャネルの前記セットのうちの前記少なくとも１つのワイヤレス通信チャネルの各々中の基準信号（ＲＳ）の後に送信される、請求項１に記載の方法。
【請求項６】
前記完全性検査情報が、レイヤ１（Ｌ１）チャネルを使用して送信される、請求項１に記載の方法。
【請求項７】
利用可能なワイヤレス通信チャネルの前記セットが共有無線周波数スペクトル帯域中のワイヤレス通信チャネルを備え、前記第１の時間期間中の送信のために利用可能な前記ワイヤレス通信チャネルを前記識別することが、
前記第１の時間期間中の送信のための各チャネルの利用可能性を決定するために、利用可能なワイヤレス通信チャネルの前記セットの各ワイヤレス通信チャネル上でリッスンビフォアトーク（ＬＢＴ）プロシージャを実行することと、
前記ＬＢＴプロシージャに少なくとも部分的に基づいて、前記少なくとも１つのワイヤレス通信チャネルを、前記ＬＢＴプロシージャに少なくとも部分的に基づく送信のために利用可能である利用可能なワイヤレス通信チャネルの前記セットのうちのチャネルとして識別することと
を備える、請求項６に記載の方法。
【請求項８】
前記完全性検査情報が、ユーザ機器（ＵＥ）固有リソース要素（ＲＥ）４位相シフトキーイング（ＱＰＳＫ）シーケンスを備える、請求項７に記載の方法。
【請求項９】
利用可能なワイヤレス通信チャネルの前記セットが基地局からのアップリンク（ＵＬ）許可中で受信される、請求項７に記載の方法。
【請求項１０】
ワイヤレス通信の方法であって、
第１の時間期間中のワイヤレス送信を含んでいる利用可能なワイヤレス通信チャネルのセットのうちのワイヤレス通信チャネルのサブセットを識別することと、
前記第１の時間期間中にワイヤレス通信チャネルの前記サブセット上で、ワイヤレス通信と完全性検査情報とを同時に受信することと、
ワイヤレス通信チャネルの前記サブセットの前記ワイヤレス通信チャネル中の完全性検査情報を分析することと、
前記分析された完全性検査情報に少なくとも部分的に基づいて、ワイヤレス通信チャネルの前記識別されたサブセットが、前記第１の時間期間中の前記ワイヤレス通信の送信のために使用されたワイヤレス通信チャネルの実際のサブセットと同じであるかどうかを決定することと
を備える方法。
【請求項１１】
前記完全性検査情報に少なくとも部分的に基づいて、ワイヤレス通信チャネルの１つまたは複数の他のサブセットが、潜在的に、前記第１の時間期間中の前記ワイヤレス通信の送信のために使用されたワイヤレス通信チャネルの前記実際のサブセットであり得るかどうかを決定すること
をさらに備える、請求項１０に記載の方法。
【請求項１２】
ワイヤレス通信チャネルの前記サブセットを前記識別することが、
ワイヤレス通信チャネルの前記サブセットの前記ワイヤレス通信チャネルの各々上で基準信号（ＲＳ）を受信すること
を備える、請求項１０に記載の方法。
【請求項１３】
前記完全性検査情報が、ワイヤレス通信チャネルの前記サブセットの前記ワイヤレス通信チャネルの各々上で前記ＲＳの後に送信される、請求項１２に記載の方法。
【請求項１４】
ワイヤレス通信チャネルの前記識別されたサブセットが、前記第１の時間期間中の前記ワイヤレス通信の送信のために使用されたワイヤレス通信チャネルの前記実際のサブセットと同じでないと決定されたとき、前記方法は、
ワイヤレス通信チャネルの前記識別されたサブセットとは異なるワイヤレス通信チャネルの１つまたは複数の候補サブセットを識別することと、
前記１つまたは複数の候補サブセットのうちの第１の候補サブセットが前記第１の時間期間中の前記ワイヤレス通信の送信のために使用されたと決定することと、
前記第１の候補サブセットに基づいて前記ワイヤレス通信の少なくとも一部分を復号することと
をさらに備える、請求項１０に記載の方法。
【請求項１５】
１つまたは複数の候補サブセットを前記識別することは、
別の送信機が、利用可能なワイヤレス通信チャネルの前記セットのうちの第１のワイヤレス通信チャネルを使用して送信していると決定することと、
ワイヤレス通信チャネルの前記サブセットと前記第１のワイヤレス通信チャネルとを含む第１の候補サブセットを識別することと
を備える、請求項１４に記載の方法。
【請求項１６】
ワイヤレス通信チャネルの前記サブセットを前記識別することが、
ワイヤレス通信チャネルの前記セットの各ワイヤレス通信チャネルのエネルギーレベルを測定することと、
ワイヤレス通信チャネルの前記サブセットを、しきい値を超える前記測定されたエネルギーレベルを有するワイヤレス通信チャネルの前記セットの各チャネルとして識別することと
を備える、請求項１４に記載の方法。
【請求項１７】
１つまたは複数の候補サブセットを前記識別することは、
利用可能なワイヤレス通信チャネルの前記セットのうちの第１のワイヤレス通信チャネルのための前記測定されたエネルギーレベルが、前記しきい値からのあらかじめ定義された範囲内にあると決定することと、
ワイヤレス通信チャネルの前記サブセットと前記第１のワイヤレス通信チャネルとを含む第１の候補サブセットを識別することと
を備える、請求項１６に記載の方法。
【請求項１８】
ワイヤレス通信チャネルの前記サブセットの前記ワイヤレス通信チャネルの各々上で基準信号（ＲＳ）を受信することをさらに備え、ここにおいて、前記第１の候補サブセットが前記ＲＳに少なくとも部分的に基づいて決定される、
請求項１４に記載の方法。
【請求項１９】
前記決定することは、
利用可能なワイヤレス通信チャネルの前記セットのうちのどのワイヤレス通信チャネルがワイヤレス通信チャネルの前記サブセット中に含まれるかに少なくとも部分的に基づいて、ワイヤレス通信チャネルの前記サブセットの各ワイヤレス通信チャネル上の前記送信内の前記完全性検査情報のロケーションを決定することと、
前記完全性検査情報の前記決定されたロケーションの各々のための対数尤度比（ＬＬＲ）を決定することと、
ワイヤレス通信チャネルの前記サブセットに関連するビットシーケンスを使用して前記ＬＬＲをデスクランブルすることと、
前記デスクランブルされたＬＬＲとワイヤレス通信チャネルの前記サブセットに関連する前記ビットシーケンスとの間の相関に少なくとも部分的に基づいてソフトメトリックを算出することと
を備える、請求項１０に記載の方法。
【請求項２０】
前記ソフトメトリックがしきい値を下回るとき、前記識別されたサブセット以外の利用可能なワイヤレス通信チャネルの前記セットのうちの別のサブセットが前記第１の時間期間中の前記ワイヤレス通信の送信のために潜在的に使用され得ると決定することと、
前記ソフトメトリックが前記しきい値を上回るとき、ワイヤレス通信チャネルの前記識別されたサブセットが前記第１の時間期間中の前記ワイヤレス通信の送信のために実際に使用されたと決定することと
をさらに備える、請求項１９に記載の方法。
【請求項２１】
前記完全性検査情報が、前記決定されたロケーションにおけるＲＥに一様にハッシングされた前記ビットシーケンスを備え、ここにおいて、前記決定されたロケーションは、利用可能なワイヤレス通信チャネルの前記セットのうちのどのワイヤレス通信チャネルが前記ワイヤレス通信を送信するために使用されるかに少なくとも部分的に基づいて決定される、請求項１９に記載の方法。
【請求項２２】
前記完全性検査情報の前記ビットシーケンスは、利用可能なワイヤレス通信チャネルの前記セットのうちのどのワイヤレス通信チャネルが前記ワイヤレス通信を送信するために使用されるかに少なくとも部分的に基づいて識別される、請求項１９に記載の方法。
【請求項２３】
前記完全性検査情報が、レイヤ１（Ｌ１）チャネルを使用して送信される、請求項１０に記載の方法。
【請求項２４】
前記Ｌ１チャネルがＰＨＹフレームフォーマットインジケータチャネル（ＰＦＦＩＣＨ）である、請求項２３に記載の方法。
【請求項２５】
前記完全性検査情報が、ユーザ機器（ＵＥ）固有リソース要素（ＲＥ）ＱＰＳＫシーケンスを備える、請求項２３に記載の方法。
【請求項２６】
ワイヤレス通信のための装置であって、
プロセッサと、
前記プロセッサと電子通信しているメモリと、
前記メモリに記憶された命令と
を備え、前記命令が、前記プロセッサによって実行されたとき、前記装置に、
ワイヤレス通信を送信するための２つまたはそれ以上の利用可能なワイヤレス通信チャネルのセットを識別することと、
第１の時間期間中の前記ワイヤレス通信の送信のために利用可能である利用可能なワイヤレス通信チャネルの前記セットのうちの少なくとも１つのワイヤレス通信チャネルを識別することと、
前記第１の時間期間中の送信のために利用可能な前記識別された少なくとも１つのワイヤレス通信チャネルを示す完全性検査情報を選択することと、
前記第１の時間期間中の前記識別された少なくとも１つのワイヤレス通信チャネル中で、前記完全性検査情報と、同時に前記ワイヤレス通信とを送信することと
を行わせるように動作可能である、装置。
【請求項２７】
前記命令は、前記プロセッサに、
利用可能なワイヤレス通信チャネルの前記セットのうちのどのワイヤレス通信チャネルが前記ワイヤレス通信を送信するために使用されるかに少なくとも部分的に基づいて、前記少なくとも１つのワイヤレス通信チャネルの各々上の送信内の前記完全性検査情報のロケーションを決定すること
を行わせるように動作可能である、請求項２６に記載の装置。
【請求項２８】
前記完全性検査情報のビットパターンは、利用可能なワイヤレス通信チャネルの前記セットのうちのどのワイヤレス通信チャネルが前記ワイヤレス通信を送信するために使用されるかに少なくとも部分的に基づいて決定される、請求項２６に記載の装置。
【請求項２９】
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
第１の時間期間中のワイヤレス送信を含んでいる利用可能なワイヤレス通信チャネルのセットのうちのワイヤレス通信チャネルのサブセットを識別することと、
前記第１の時間期間中にワイヤレス通信チャネルの前記サブセット上で、ワイヤレス通信と完全性検査情報とを同時に受信することと、
ワイヤレス通信チャネルの前記サブセットの前記ワイヤレス通信チャネル中の完全性検査情報を分析することと、
前記分析された完全性検査情報に少なくとも部分的に基づいて、ワイヤレス通信チャネルの前記識別されたサブセットが、前記第１の時間期間中の前記ワイヤレス通信の送信のために使用されたワイヤレス通信チャネルの実際のサブセットと同じであるかどうかを決定することと
を行わせるように動作可能である、装置。
【請求項３０】
ワイヤレス通信チャネルの前記識別されたサブセットが、前記第１の時間期間中の前記ワイヤレス通信の送信のために使用されたワイヤレス通信チャネルの前記実際のサブセットと同じでないと決定されたとき、前記命令は、前記プロセッサに、
ワイヤレス通信チャネルの前記識別されたサブセットとは異なるワイヤレス通信チャネルの１つまたは複数の候補サブセットを識別することと、
前記１つまたは複数の候補サブセットのうちの第１の候補サブセットが前記第１の時間期間中の前記ワイヤレス通信の送信のために使用されたと決定することと、
前記第１の候補サブセットに基づいて前記ワイヤレス通信の少なくとも一部分を復号することと
を行わせるように動作可能である、請求項２９に記載の装置。
【発明の詳細な説明】
【技術分野】
【０００１】
相互参照
[0001]本特許出願は、各々が本出願の譲受人に譲渡された、２０１６年７月１５日に出願された、「Integrity Check Techniques for Multi-Channel Activity Detection」と題する、Ｓｕｎらによる米国特許出願第１５／２１１，１６２号、および２０１５年９月１８日に出願された、「Integrity Check Techniques for Multi-Channel Activity Detection」と題する、Ｓｕｎらによる米国仮特許出願第６２／２２０，７８９号の優先権を主張する。
【０００２】
[0002]以下は、一般にワイヤレス通信に関し、より詳細には、信頼できるマルチチャネルアクティビティ検出のための完全性検査技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかのワイヤレスシステムでは、通信データを含んでいる送信は、無線周波数スペクトル帯域内の複数のチャネル（たとえば、８０ＭＨｚ総チャネル帯域幅の４つの２０ＭＨｚサブチャネル）にわたって送られ得る。いくつかの場合には、無線周波数スペクトル帯域は共有無線周波数スペクトル帯域（たとえば、無認可帯域）であり得る。通信が複数のチャネル上で送信されるが、それらのチャネルのうちの１つまたは複数が別のデバイスによってジャミングされる事例では、受信ワイヤレスデバイスは、送信ワイヤレスデバイスによって通信を送信するために使用されたチャネルとは異なるチャネル上で通信を受信し得る。これは、送信のために実際に使用されたチャネルとは異なるチャネルが送信のために使用されたという仮定の下で送信を復号することを試みるときに受信ワイヤレスデバイスにおいてリソースの非効率的な使用を生じ得る。
【発明の概要】
【０００５】
[0005]いくつかのワイヤレス通信システムでは、ワイヤレスデバイスが、別のワイヤレスデバイスとの通信のために利用可能であるワイヤレス通信チャネルのセットを識別し得る。ワイヤレスデバイスは、識別された時間期間中の送信のためのワイヤレス通信チャネルのセットのうちの少なくとも１つのチャネルを識別し得、識別された時間期間中の送信のために使用されるセットのうちの（１つまたは複数の）識別されたワイヤレスチャネルを示す完全性検査情報を選択し得る。ワイヤレスデバイスは、次いで、識別された時間期間中の送信のために使用される各識別されたワイヤレスチャネルを使用して、識別された時間期間中に完全性検査情報を送信し得る。各チャネル上の送信内の完全性検査情報のロケーションは、いくつかの例によれば、識別された時間期間中のワイヤレス送信のために使用されるワイヤレスチャネルの特定のサブセットに基づいて決定され得る。
【０００６】
[0006]いくつかの例では、受信ワイヤレスデバイスは、どのチャネルがワイヤレス通信のために使用されるかを検出し、検出されたチャネルの各チャネルを使用して送信された完全性検査情報を含むワイヤレス通信を受信し得る。ワイヤレスデバイスは、次いで、完全性検査情報に基づいて、検出されたチャネルが、ワイヤレス通信の送信のために使用されたチャネルの実際のサブセットと同じである可能性が高いかどうかを決定し得る。検出されたチャネルが送信のために使用されたチャネルの実際のサブセットと同じである可能性が低い場合、ワイヤレスデバイスは、送信のために潜在的に使用された可能性があるチャネルのうちの１つまたは複数の他の候補サブセットを識別し、各異なる候補サブセットに関連する完全性検査情報に基づいて、候補サブセットのうちの１つが、識別された時間期間中の送信のために使用されたチャネルの実際のサブセットであった可能性が高いかどうかを決定し得る。
【０００７】
[0007]ワイヤレス通信の方法が説明される。本方法は、ワイヤレス通信を送信するための２つまたはそれ以上の利用可能なワイヤレス通信チャネルのセットを識別することと、第１の時間期間中の送信のために利用可能である利用可能なワイヤレス通信チャネルのセットのうちの少なくとも１つのワイヤレス通信チャネルを識別することと、第１の時間期間中の送信のために利用可能な識別された少なくとも１つのワイヤレス通信チャネルを示す完全性検査情報を選択することと、第１の時間期間中の識別された少なくとも１つのワイヤレス通信チャネル中で完全性検査情報を送信することとを含み得る。
【０００８】
[0008]ワイヤレス通信のための装置が説明される。本装置は、ワイヤレス通信を送信するための２つまたはそれ以上の利用可能なワイヤレス通信チャネルのセットを識別するための手段と、第１の時間期間中の送信のために利用可能である利用可能なワイヤレス通信チャネルのセットのうちの少なくとも１つのワイヤレス通信チャネルを識別するための手段と、第１の時間期間中の送信のために利用可能な識別された少なくとも１つのワイヤレス通信チャネルを示す完全性検査情報を選択するための手段と、第１の時間期間中の識別された少なくとも１つのワイヤレス通信チャネル中で完全性検査情報を送信するための手段とを含み得る。
【０００９】
[0009]さらなる装置が説明される。本装置は、プロセッサと、プロセッサと電子通信しているメモリと、メモリに記憶された命令とを含み得る。命令は、ワイヤレス通信を送信するための２つまたはそれ以上の利用可能なワイヤレス通信チャネルのセットを識別することと、第１の時間期間中の送信のために利用可能である利用可能なワイヤレス通信チャネルのセットのうちの少なくとも１つのワイヤレス通信チャネルを識別することと、第１の時間期間中の送信のために利用可能な識別された少なくとも１つのワイヤレス通信チャネルを示す完全性検査情報を選択することと、第１の時間期間中の識別された少なくとも１つのワイヤレス通信チャネル中で完全性検査情報を送信することとをプロセッサに行わせるように動作可能であり得る。
【００１０】
[0010]ワイヤレス通信のための非一時的コンピュータ可読媒体が説明される。本非一時的コンピュータ可読媒体は、ワイヤレス通信を送信するための２つまたはそれ以上の利用可能なワイヤレス通信チャネルのセットを識別することと、第１の時間期間中の送信のために利用可能である利用可能なワイヤレス通信チャネルのセットのうちの少なくとも１つのワイヤレス通信チャネルを識別することと、第１の時間期間中の送信のために利用可能な識別された少なくとも１つのワイヤレス通信チャネルを示す完全性検査情報を選択することと、第１の時間期間中の識別された少なくとも１つのワイヤレス通信チャネル中で完全性検査情報を送信することとをプロセッサに行わせるための命令を含み得る。
【００１１】
[0011]上記で説明された方法、装置、または非一時的コンピュータ可読媒体のいくつかの例は、利用可能なワイヤレス通信チャネルのセットのうちのどのワイヤレス通信チャネルがワイヤレス通信を送信するために使用されるかに基づいて、ワイヤレス通信チャネルの各々上の送信内の完全性検査情報のロケーションを決定するためのプロセス、特徴、手段、または命令をさらに含み得る。上記で説明された方法、装置、または非一時的コンピュータ可読媒体のいくつかの例では、完全性検査情報は、決定されたロケーションにおけるリソース要素（ＲＥ）に一様にハッシングされた知られているビットシーケンスを備える。
【００１２】
[0012]上記で説明された方法、装置、および非一時的コンピュータ可読媒体のいくつかの例は、利用可能なワイヤレス通信チャネルのセットのうちのどのワイヤレス通信チャネルがワイヤレス通信を送信するために使用され得るかに少なくとも部分的に基づいて、完全性検査情報のためのスクランブリングシーケンスを決定するためのプロセス、特徴、手段、または命令をさらに含み得る。
【００１３】
[0013]上記で説明された方法、装置、または非一時的コンピュータ可読媒体のいくつかの例では、完全性検査情報のビットパターンは、利用可能なワイヤレス通信チャネルのセットのうちのどのワイヤレス通信チャネルがワイヤレス通信を送信するために使用されるかに基づいて決定される。
【００１４】
[0014]上記で説明された方法、装置、または非一時的コンピュータ可読媒体のいくつかの例は、識別されたワイヤレス通信チャネルの各々を使用して基準信号（ＲＳ）を送信するためのプロセス、特徴、手段、または命令をさらに含み得る。上記で説明された方法、装置、または非一時的コンピュータ可読媒体のいくつかの例では、完全性検査情報は、識別されたワイヤレス通信チャネルの各々中のＲＳの後に送信される。
【００１５】
[0015]上記で説明された方法、装置、および非一時的コンピュータ可読媒体のいくつかの例では、完全性検査情報は、第１の時間期間中の送信のために利用可能であり得る利用可能なワイヤレス通信チャネルのセットのうちの少なくとも１つのワイヤレス通信チャネルの各々中のＲＳの後に送信され得る。
【００１６】
[0016]上記で説明された方法、装置、または非一時的コンピュータ可読媒体のいくつかの例では、本方法は基地局によって実行され、完全性検査情報は、物理フレームフォーマットインジケータチャネル（ＰＦＦＩＣＨ：physical frame format indicator channel）など、レイヤ１（Ｌ１）チャネルを使用して基地局によって送信される。
【００１７】
[0017]上記で説明された方法、装置、または非一時的コンピュータ可読媒体のいくつかの例では、利用可能なワイヤレス通信チャネルのセットは共有無線周波数スペクトル帯域中のワイヤレス通信チャネルを備え、第１の時間期間中の送信のために利用可能なワイヤレス通信チャネルを識別することは、第１の時間期間中の送信のための各チャネルの利用可能性を決定するために、利用可能なワイヤレス通信チャネルのセットの各ワイヤレス通信チャネル上でリッスンビフォアトーク（ＬＢＴ：listen-before-talk）プロシージャを実行することを備える。上記で説明された方法、装置、または非一時的コンピュータ可読媒体のいくつかの例は、ＬＢＴプロシージャに基づいて、少なくとも１つのワイヤレス通信チャネルを、ＬＢＴプロシージャに基づいて送信のために利用可能である利用可能なワイヤレス通信チャネルのセットのうちのチャネルとして識別するためのプロセス、特徴、手段、または命令をさらに含み得る。
【００１８】
[0018]上記で説明された方法、装置、または非一時的コンピュータ可読媒体のいくつかの例では、本方法はユーザ機器（ＵＥ）によって実行され、完全性検査情報は、Ｌ１チャネルを使用してＵＥによって送信される。上記で説明された方法、装置、または非一時的コンピュータ可読媒体のいくつかの例では、完全性検査情報は、ＵＥ固有ＲＥ４位相シフトキーイング（ＱＰＳＫ：quadrature phase shift keying）シーケンスを備える。
【００１９】
[0019]上記で説明された方法、装置、または非一時的コンピュータ可読媒体のいくつかの例では、利用可能なワイヤレス通信チャネルのセットは、基地局からのアップリンク（ＵＬ）許可中で受信され、共有無線周波数スペクトル帯域中のワイヤレス通信チャネルを備え、ここで、第１の時間期間中の送信のために利用可能なワイヤレス通信チャネルを識別することは、第１の時間期間中の送信のための各チャネルの利用可能性を決定するために、利用可能なワイヤレス通信チャネルのセットの各ワイヤレス通信チャネル上でＬＢＴプロシージャを実行することを備える。上記で説明された方法、装置、または非一時的コンピュータ可読媒体のいくつかの例は、ＬＢＴプロシージャに基づいて、少なくとも１つのワイヤレス通信チャネルを、ＬＢＴプロシージャに基づいて送信のために利用可能である利用可能なワイヤレス通信チャネルのセットのうちのチャネル識別するためのプロセス、特徴、手段、または命令をさらに含み得る。
【００２０】
[0020]ワイヤレス通信の方法が説明される。本方法は、第１の時間期間中のワイヤレス送信を含んでいる利用可能なワイヤレス通信チャネルのセットのうちのワイヤレス通信チャネルのサブセットを識別することと、ワイヤレス通信チャネルのサブセット上でワイヤレス通信を受信することと、ワイヤレス通信チャネルのサブセットのワイヤレス通信チャネル中の完全性検査情報を決定することと、完全性検査情報に少なくとも部分的に基づいて、ワイヤレス通信チャネルの識別されたサブセットが、第１の時間期間中のワイヤレス通信の送信のために使用されたワイヤレス通信チャネルの実際のサブセットと同じであるかどうかを決定することとを含み得る。
【００２１】
[0021]ワイヤレス通信のための装置が説明される。本装置は、第１の時間期間中のワイヤレス送信を含んでいる利用可能なワイヤレス通信チャネルのセットのうちのワイヤレス通信チャネルのサブセットを識別するための手段と、ワイヤレス通信チャネルのサブセット上でワイヤレス通信を受信するための手段と、ワイヤレス通信チャネルのサブセットのワイヤレス通信チャネル中の完全性検査情報を決定するための手段と、完全性検査情報に少なくとも部分的に基づいて、ワイヤレス通信チャネルの識別されたサブセットが、第１の時間期間中のワイヤレス通信の送信のために使用されたワイヤレス通信チャネルの実際のサブセットと同じであるかどうかを決定するための手段とを含み得る。
【００２２】
[0022]さらなる装置が説明される。本装置は、プロセッサと、プロセッサと電子通信しているメモリと、メモリに記憶された命令とを含み得る。命令は、第１の時間期間中のワイヤレス送信を含んでいる利用可能なワイヤレス通信チャネルのセットのうちのワイヤレス通信チャネルのサブセットを識別することと、ワイヤレス通信チャネルのサブセット上でワイヤレス通信を受信することと、ワイヤレス通信チャネルのサブセットのワイヤレス通信チャネル中の完全性検査情報を決定することと、完全性検査情報に少なくとも部分的に基づいて、ワイヤレス通信チャネルの識別されたサブセットが、第１の時間期間中のワイヤレス通信の送信のために使用されたワイヤレス通信チャネルの実際のサブセットと同じであるかどうかを決定することとをプロセッサに行わせるように動作可能であり得る。
【００２３】
[0023]ワイヤレス通信のための非一時的コンピュータ可読媒体が説明される。本非一時的コンピュータ可読媒体は、第１の時間期間中のワイヤレス送信を含んでいる利用可能なワイヤレス通信チャネルのセットのうちのワイヤレス通信チャネルのサブセットを識別することと、ワイヤレス通信チャネルのサブセット上でワイヤレス通信を受信することと、ワイヤレス通信チャネルのサブセットのワイヤレス通信チャネル中の完全性検査情報を決定することと、完全性検査情報に基づいて、ワイヤレス通信チャネルの識別されたサブセットが、第１の時間期間中のワイヤレス通信の送信のために使用されたワイヤレス通信チャネルの実際のサブセットと同じであるかどうかを決定することとをプロセッサに行わせるための命令を含み得る。
【００２４】
[0024]上記で説明された方法、装置、または非一時的コンピュータ可読媒体のいくつかの例は、完全性検査情報に基づいて、ワイヤレス通信チャネルの１つまたは複数の他のサブセットが、潜在的に、第１の時間期間中のワイヤレス通信の送信のために使用されたワイヤレス通信チャネルの実際のサブセットであり得るかどうかを決定するためのプロセス、特徴、手段、または命令をさらに含み得る。
【００２５】
[0025]上記で説明された方法、装置、または非一時的コンピュータ可読媒体のいくつかの例では、ワイヤレス通信チャネルの識別されたサブセットが、第１の時間期間中のワイヤレス通信の送信のために使用されたワイヤレス通信チャネルの実際のサブセットと同じでないと決定されたとき、本方法は、ワイヤレス通信チャネルの識別されたサブセットとは異なるワイヤレス通信チャネルの１つまたは複数の候補サブセットを識別することをさらに備える。上記で説明された方法、装置、または非一時的コンピュータ可読媒体のいくつかの例は、１つまたは複数の候補サブセットのうちの第１の候補サブセットが第１の時間期間中のワイヤレス通信の送信のために使用されたと決定するためのプロセス、特徴、手段、または命令をさらに含み得る。上記で説明された方法、装置、または非一時的コンピュータ可読媒体のいくつかの例は、第１の候補サブセットに基づいてワイヤレス通信の少なくとも一部分を復号するためのプロセス、特徴、手段、または命令をさらに含み得る。
【００２６】
[0026]上記で説明された方法、装置、または非一時的コンピュータ可読媒体のいくつかの例では、１つまたは複数の候補サブセットを識別することは、別の送信機が、利用可能なワイヤレス通信チャネルのセットのうちの第１のワイヤレス通信チャネルを使用して送信していると決定することと、ワイヤレス通信チャネルのサブセットと第１のワイヤレス通信チャネルとを含む第１の候補サブセットを識別することとを備える。
【００２７】
[0027]上記で説明された方法、装置、および非一時的コンピュータ可読媒体のいくつかの例は、ワイヤレス通信チャネルのサブセットのワイヤレス通信チャネルの各々上でＲＳを受信するためのプロセス、特徴、手段、または命令をさらに含み得、ここにおいて、第１の候補セットはＲＳに少なくとも部分的に基づいて決定され得る。
【００２８】
[0028]上記で説明された方法、装置、または非一時的コンピュータ可読媒体のいくつかの例では、ワイヤレス通信チャネルのサブセットを識別することは、ワイヤレス通信チャネルのセットの各ワイヤレス通信チャネルのエネルギーレベルを測定することと、ワイヤレス通信チャネルのサブセットを、しきい値を超えるエネルギーレベルを有するワイヤレス通信チャネルのセットの各チャネルとして識別することとを備える。
【００２９】
[0029]上記で説明された方法、装置、または非一時的コンピュータ可読媒体のいくつかの例では、１つまたは複数の候補サブセットを識別することは、利用可能なワイヤレス通信チャネルのセットのうちの第１のワイヤレス通信チャネルのための測定されたエネルギーレベルが、しきい値からのあらかじめ定義された範囲内にあると決定することと、ワイヤレス通信チャネルのサブセットと第１のワイヤレス通信チャネルとを含む第１の候補サブセットを識別することとを備える。
【００３０】
[0030]上記で説明された方法、装置、または非一時的コンピュータ可読媒体のいくつかの例では、決定することは、利用可能なワイヤレス通信チャネルのセットのうちのどのワイヤレス通信チャネルがワイヤレス通信チャネルのサブセット中に含まれるかに基づいて、ワイヤレス通信チャネルのサブセットの各ワイヤレス通信チャネル上の送信内の完全性検査情報のロケーションを決定することを備える。上記で説明された方法、装置、または非一時的コンピュータ可読媒体のいくつかの例は、完全性検査情報のロケーションの各々のための対数尤度比（ＬＬＲ：log-likelihood ratio）を決定することと、ワイヤレス通信チャネルのサブセットに関連する所定のビットシーケンスを使用してＬＬＲをデスクランブルすることと、デスクランブルされたＬＬＲとワイヤレス通信チャネルのサブセットに関連する所定のビットシーケンスとの間の相関に基づいてソフトメトリックを算出することとを行うためのプロセス、特徴、手段、または命令をさらに含み得る。上記で説明された方法、装置、または非一時的コンピュータ可読媒体のいくつかの例は、ソフトメトリックがしきい値を下回るとき、識別されたサブセット以外の利用可能なワイヤレス通信チャネルのセットのうちの別のサブセットが第１の時間期間中のワイヤレス通信の送信のために潜在的に使用され得ると決定するためのプロセス、特徴、手段、または命令をさらに含み得る。上記で説明された方法、装置、または非一時的コンピュータ可読媒体のいくつかの例は、ソフトメトリックがしきい値を上回るとき、ワイヤレス通信チャネルの識別されたサブセットのチャネルが第１の時間期間中のワイヤレス通信の送信のために使用したと決定するためのプロセス、特徴、手段、または命令をさらに含み得る。
【００３１】
[0031]上記で説明された方法、装置、または非一時的コンピュータ可読媒体のいくつかの例では、完全性検査情報は、決定されたロケーションにおけるＲＥに一様にハッシングされた所定のビットシーケンスを備え、ここで、決定されたロケーションは、利用可能なワイヤレス通信チャネルのセットのうちのどのワイヤレス通信チャネルがワイヤレス通信を送信するために使用されるかに基づいて決定される。
【００３２】
[0032]上記で説明された方法、装置、または非一時的コンピュータ可読媒体のいくつかの例では、ワイヤレス通信チャネルのサブセットを識別することは、ワイヤレス通信チャネルのサブセットのワイヤレス通信チャネルの各々上でＲＳを受信することを備える。上記で説明された方法、装置、または非一時的コンピュータ可読媒体のいくつかの例では、完全性検査情報は、ワイヤレス通信チャネルのサブセットのワイヤレス通信チャネルの各々上でＲＳの後に送信される。
【００３３】
[0033]上記で説明された方法、装置、および非一時的コンピュータ可読媒体のいくつかの例では、完全性検査情報は、ワイヤレス通信チャネルのサブセットのワイヤレス通信チャネルの各々上でＲＳの後に送信され得る。
【００３４】
[0034]上記で説明された方法、装置、または非一時的コンピュータ可読媒体のいくつかの例では、本方法はＵＥによって実行され、完全性検査情報は、Ｌ１チャネルを使用して基地局によって送信される。上記で説明された方法、装置、または非一時的コンピュータ可読媒体のいくつかの例では、Ｌ１チャネルはＰＦＦＩＣＨである。
【００３５】
[0035]上記で説明された方法、装置、または非一時的コンピュータ可読媒体のいくつかの例では、本方法は基地局によって実行され、完全性検査情報は、Ｌ１チャネルを使用してＵＥによって送信される。上記で説明された方法、装置、または非一時的コンピュータ可読媒体のいくつかの例では、完全性検査情報はＵＥ固有ＲＥ  ＱＰＳＫシーケンスを備える。
【００３６】
[0036]上記は、以下の発明を実施するための形態がより良く理解され得るように、本開示による例の技法および技術的利点についてやや広く概説した。追加の技法および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性は、それらの編成と動作の方法の両方とも、関連する利点とともに、添付の図に関連して以下の説明を検討するとより良く理解されよう。図の各々は、例示および説明の目的で与えられるものであり、特許請求の範囲の制限の定義として与えられるものではない。
【００３７】
[0037]本開示の性質および利点のさらなる理解は、以下の図面を参照することによって実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００３８】
【図１】[0038]本開示の態様による、信頼できるマルチチャネルアクティビティ検出のための完全性検査技法をサポートするワイヤレス通信システムの一例を示す図。
【図２】[0039]本開示の態様による、信頼できるマルチチャネルアクティビティ検出のための完全性検査技法をサポートするワイヤレス通信システムの一例を示す図。
【図３】[0040]本開示の態様による、信頼できるマルチチャネルアクティビティ検出のための完全性検査技法をサポートするマルチチャネル通信の例を示す図。
【図４】本開示の態様による、信頼できるマルチチャネルアクティビティ検出のための完全性検査技法をサポートするマルチチャネル通信の例を示す図。
【図５】本開示の態様による、信頼できるマルチチャネルアクティビティ検出のための完全性検査技法をサポートするマルチチャネル通信の例を示す図。
【図６】[0041]本開示の態様による、信頼できるマルチチャネルアクティビティ検出のための完全性検査技法をサポートするシステムにおけるプロセスフローの一例を示す図。
【図７】[0042]本開示の態様による、信頼できるマルチチャネルアクティビティ検出のための完全性検査技法をサポートするワイヤレスデバイスのブロック図。
【図８】本開示の態様による、信頼できるマルチチャネルアクティビティ検出のための完全性検査技法をサポートするワイヤレスデバイスのブロック図。
【図９】本開示の態様による、信頼できるマルチチャネルアクティビティ検出のための完全性検査技法をサポートするワイヤレスデバイスのブロック図。
【図１０】[0043]本開示の態様による、信頼できるマルチチャネルアクティビティ検出のための完全性検査技法をサポートするユーザ機器（ＵＥ）を含むシステムのブロック図。
【図１１】[0044]本開示の態様による、信頼できるマルチチャネルアクティビティ検出のための完全性検査技法をサポートする基地局を含むシステムのブロック図。
【図１２】[0045]本開示の態様による、信頼できるマルチチャネルアクティビティ検出のための完全性検査方法を示す図。
【図１３】本開示の態様による、信頼できるマルチチャネルアクティビティ検出のための完全性検査方法を示す図。
【図１４】本開示の態様による、信頼できるマルチチャネルアクティビティ検出のための完全性検査方法を示す図。
【図１５】本開示の態様による、信頼できるマルチチャネルアクティビティ検出のための完全性検査方法を示す図。
【図１６】本開示の態様による、信頼できるマルチチャネルアクティビティ検出のための完全性検査方法を示す図。
【図１７】本開示の態様による、信頼できるマルチチャネルアクティビティ検出のための完全性検査方法を示す図。
【００３９】
[0046]説明される方法および装置の適用性のさらなる範囲は、以下の発明を実施するための形態、特許請求の範囲、および図面から明らかになろう。発明を実施するための形態の趣旨および範囲内の様々な変更および改変が当業者に明らかになるので、発明を実施するための形態および特定の例は例示として与えられるものにすぎない。
【発明を実施するための形態】
【００４０】
[0047]共有無線周波数スペクトル帯域がワイヤレス通信システム上での通信の少なくとも一部分のために使用される技法が説明される。いくつかの場合には、共有無線周波数スペクトル帯域を使用するとき、受信デバイスは、ワイヤレス通信送信を含んでいる、８０ＭＨｚチャネル帯域幅中の２０ＭＨｚサブチャネルのサブセットなど、いくつかのチャネル上で送信を検出し得る。検出されたチャネルは、いくつかの状況では、（たとえば、受信デバイスに近接しているジャミングデバイスからの干渉により）ワイヤレス通信を送信するときに送信機によって使用された実際のチャネルとは異なり得る。
【００４１】
[0048]本開示の態様によれば、完全性検査情報が送信に含まれ得、完全性検査情報は、検出されたチャネルアクティビティが、特定の時間期間の間に送信デバイスによって使用されたチャネルに対応することを確認するために受信デバイスによって使用され得る。いくつかの例では、ワイヤレスデバイスが、別のワイヤレスデバイスとの通信のために利用可能であるワイヤレス通信チャネルのセット（たとえば、８０ＭＨｚチャネル帯域幅の４つの２０ＭＨｚチャネル）を識別し得る。ワイヤレスデバイスは、識別された時間期間中の送信のためのワイヤレス通信チャネルのセットのうちの少なくとも１つのチャネル（たとえば、４つの２０ＭＨｚチャネルのうちの３つ）を識別し得る。ワイヤレスデバイスは、次いで、識別された時間期間中の送信のために使用されるセットのうちの（１つまたは複数の）識別されたワイヤレスチャネルを示す完全性検査情報を選択し、識別された時間期間中の送信のために使用される各識別されたワイヤレスチャネルを使用して、識別された時間期間中に完全性検査情報を送信し得る。各チャネル上の送信内の完全性検査情報のロケーションは、いくつかの例によれば、識別された時間期間中のワイヤレス送信のために使用されるワイヤレスチャネルの特定のサブセットに基づいて決定され得る（たとえば、チャネル０／１／２のための完全性検査情報は、チャネル０／１／３のための完全性検査情報とは異なるロケーションにマッピングされる）。
【００４２】
[0049]受信ワイヤレスデバイスは、受信されたワイヤレス通信チャネルの適切な検出を確認するために完全性検査情報を使用し得る。たとえば、受信デバイスは、どのチャネルがワイヤレス通信のために使用されるかを検出し、検出されたチャネルの各チャネルを使用して送信された完全性検査情報を含むワイヤレス通信を受信し得る。ワイヤレスデバイスは、次いで、完全性検査情報に基づいて、検出されたチャネルが、ワイヤレス通信の送信のために使用されたチャネルの実際のサブセットと同じである可能性が高いかどうかを決定し得る。検出されたチャネルが送信のために使用されたチャネルの実際のサブセットと同じである可能性が低い場合、ワイヤレスデバイスは、いくつかの例では、送信のために潜在的に使用された可能性があるチャネルのうちの１つまたは複数の他の候補サブセットを識別し、各異なる候補サブセットに関連する完全性検査情報に基づいて、候補サブセットのうちの１つが、識別された時間期間中の送信のために使用されたチャネルの実際のサブセットであった可能性が高いかどうかを決定し得る。
【００４３】
[0050]最初に、本開示の態様がワイヤレス通信システムのコンテキストにおいて説明される。次いで、マルチチャネル通信とチャネル内に完全性検査情報を含むこととのための特定の例が説明される。本開示の態様は、さらに、信頼できるマルチチャネルアクティビティ検出のための完全性検査技法に関係する装置図、システム図、およびフローチャートによって示され、それらを参照しながら説明される。
【００４４】
[0051]図１に、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ（登録商標））／ＬＴＥアドバンスト（ＬＴＥ−Ａ）ネットワークであり得る。ワイヤレス通信システム１００は、マルチチャネル通信上で使用される完全性検査チャネルを用いた通信をサポートし得る。
【００４５】
[0052]いくつかの例では、ワイヤレス通信システム１００は、共有または無認可スペクトル中で動作し得、したがって、基地局１０５およびＵＥ１１５は、少なくとも１つのワイヤレスチャネル上で送信するより前にリッスンビフォアトーク（ＬＢＴ）プロシージャを実行する。いくつかの例では、ワイヤレス通信システム１００は、ダウンリンク（ＤＬ）および／またはアップリンク（ＵＬ）送信のために使用される無線周波数チャネル（すなわち、周波数帯域）が複数のサブチャネル（たとえば、４つの２０ＭＨｚチャネルから構成された８０ＭＨｚ送信帯域幅）を含み得る、拡張コンポーネントキャリア（ｅＣＣ）を使用し得、ここで、通信は複数のチャネルにわたってスパンし得る。ＬＢＴプロシージャが各異なるチャネルについて使用され得、次いで、ＬＢＴプロシージャをパスした１つまたは複数のチャネルを使用してワイヤレス通信が送信され得る。いくつかの例では、以下でより詳細に説明されるように、どの特定のサブチャネルがワイヤレス送信のために使用された可能性が高いかを確認するために使用され得る情報を受信機に与えるために、完全性検査プロセスがチャネルアクティビティ検出プロシージャのために使用され得る。
【００４６】
[0053]基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのＵＬ送信、または基地局１０５からＵＥ１１５へのＤＬ送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末（ＡＴ）、ハンドセット、ユーザエージェント、クライアント、または同様の用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。
【００４７】
[0054]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００４８】
[0055]ワイヤレス通信システム１００は、フレーム構造を使用し得、物理リソースを編成するために使用され得る。フレームは、１０ｍｓ間隔であり得、それは、１０個の等しいサイズのサブフレームにさらに分割され得る。各サブフレームは、２つの連続するタイムスロットを含み得る。各スロットは、６つまたは７つのＯＦＤＭＡシンボル期間を含み得る。リソース要素は、１つのシンボル期間と１つのサブキャリア（１５ＫＨｚ周波数範囲）とからなる。リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。いくつかのリソース要素は、ＤＬ基準信号（ＤＬ−ＲＳ）を含み得る。ＤＬ−ＲＳは、セル固有基準信号（ＣＲＳ）とＵＥ固有基準信号（ＵＥ−ＲＳ）とを含み得る。ＵＥ−ＲＳ、または復調基準信号（ＤＭ−ＲＳ）は、ＰＤＳＣＨに関連するリソースブロック上で送信され得る。各リソース要素によって搬送されるビット数は、変調方式（各シンボル期間中に選択され得るシンボルの構成）に依存し得る。したがって、ＵＥが受信するリソースブロックが多いほど、また変調方式が高いほど、ＵＥのデータレートは高くなり得る。
【００４９】
[0056]コンポーネントキャリア（ＣＣ）と呼ばれることもあるキャリア、レイヤ、チャネルなどは、独立して、または他のキャリア（たとえば、他のコンポーネントキャリア）と組み合わせて利用されることが可能である比較的狭い帯域幅のキャリアであり得る。各コンポーネントキャリアは、ＬＴＥ規格のリリース８またはリリース９に基づく分離キャリアと同じ能力を与え得る。複数のコンポーネントキャリアは、キャリアアグリゲーション（ＣＡ）技法に従って、いくつかのＵＥ１１５に、より大きい帯域幅と、たとえば、より高いデータレートとを与えるために、アグリゲートされるか、またはコンカレントに利用され得る。したがって、個々のコンポーネントキャリアは、レガシーＵＥ１１５（たとえば、ＬＴＥリリース８またはリリース９を実装するＵＥ１１５）との後方互換性があることがあるが、他のＵＥ１１５（たとえば、リリース８／９後のＬＴＥバージョンを実装するＵＥ１１５）は、マルチキャリアモードにおいて複数のコンポーネントキャリアで構成され得る。ＤＬのために使用されるキャリアはＤＬ  ＣＣと呼ばれることがあり、ＵＬのために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。
【００５０】
[0057]いくつかの例では、ワイヤレス通信システム１００は、１つまたは複数のｅＣＣを利用し得る。ｅＣＣは、フレキシブル帯域幅と、可変長ＴＴＩと、変更制御チャネル構成とを含む、１つまたは複数の特徴によって特徴づけられ得る。いくつかの場合には、ｅＣＣは、キャリアアグリゲーション構成またはデュアル接続性構成（すなわち、複数のサービングセルが準最適バックホールリンクを有するとき）に関連し得る。ｅＣＣはまた、（２つ以上の事業者が同じスペクトルを使用し得る場合）無認可スペクトルまたは共有無線周波数スペクトル帯域において使用するために構成され得る。フレキシブル帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００５１】
[0058]共有無線周波数スペクトル帯域を使用し得るいくつかの例では、ｅＣＣ送信において使用されるチャネルは、ＬＢＴプロシージャがクリアされていることがあるにもかかわらず、他のソースまたはワイヤレスデバイスからの干渉および／または通信トラフィックを受け得る。たとえば、送信デバイスにおいて３つの２０ＭＨｚチャネルがＬＢＴプロシージャをクリアし得、送信デバイスは、次いで、３つのクリアされたチャネルを使用して送信を開始し得る。しかしながら、受信ワイヤレスデバイスに近接していることがある別のデバイスが、クリアされたチャネルのうちの第１のチャネルを使用して送信することを開始し得、それにより、受信デバイスが第１のチャネル上の通信を検出しないことになり得る。その結果、そのような通信を受信した受信機（たとえば、ＵＥ１１５）は、送信のために実際に使用されたのとは異なる、チャネルのセットを使用して送信が行われたと仮定し得る。受信機は、次いで、この間違った仮定に従って通信を受信し、復号することを試み得、これは、不成功の受信を生じ、将来の送信に伝搬され得るエラーを潜在的に生成し得る。
【００５２】
[0059]本開示のいくつかの態様によれば、そのようなシナリオに関連する通信エラーを低減するために、完全性検査プロセスがチャネルアクティビティ検出のために使用され得る。いくつかの例では、送信は、ワイヤレス通信送信において使用される各周波数チャネル中で送信され得るレイヤ１（Ｌ１）プロトコル完全性検査論理チャネルを含み得る。受信デバイス（たとえば、基地局１０５またはＵＥ１１５）は、完全性検査情報に基づく特定の時間期間中の送信のための実際のチャネルアクティビティを用いて、検出されたチャネルアクティビティを検証し得る。
【００５３】
[0060]図２は、信頼できるマルチチャネルアクティビティ検出のための完全性検査技法を使用し得るワイヤレス通信システム２００の一例を示す。ワイヤレス通信システム２００は、図１を参照しながら説明された対応するデバイスの例であり得る、基地局１０５−ａとＵＥ１１５−ａとを含み得る。ワイヤレス通信システム２００は、効率的なチャネルアクティビティ検出のためにＵＬおよびＤＬ通信内に完全性検査情報を含むことをサポートし得る。
【００５４】
[0061]ワイヤレス通信システム２００は、ワイヤレス通信のスループット、レイテンシ、または信頼性を改善するためにｅＣＣを使用し得る。ｅＣＣ動作をサポートするシステムでは、上述のように、通信は、ＤＬとＵＬの両方の送信２１０のための（周波数帯域とも呼ばれる）送信帯域幅を使用し得る。送信帯域幅は、（サブバンドまたはサブチャネルとも呼ばれる）複数の周波数チャネル２１５を含み得る。たとえば、ＤＬおよびＵＬ送信２１０は、４つの２０ＭＨｚチャネル２１５から構成された８０ＭＨｚ送信帯域幅を使用し得る。ＵＬおよびＤＬ送信２１０のために使用されるチャネル２１５の各々はまた、他のワイヤレスデバイスからの通信トラフィックを受け得る。クリアチャネルアセスメント（ＣＣＡ）など、ＬＢＴプロシージャは、チャネル２１５がＵＥ１１５−ａまたは基地局１０５−ａのための通信のために利用可能であるかどうかを示し得る。マルチチャネル送信２１０のチャネル２１５は、効率を改善し、複雑さを低減するために、一緒に使用され得るので、信頼できるチャネルアクティビティ検出（すなわち、どのサブチャネルが送信のために使用されたかを検出すること）はより効率的なワイヤレス通信を可能にし得る。
【００５５】
[0062]いくつかの場合には、ｅＣＣ送信において使用されるチャネル２１５は、送信デバイスにおいてＬＢＴプロシージャをクリアしたにもかかわらず（たとえば、基地局１０５−ａは、送信するより前に各チャネル２１５上でＣＣＡをクリアし得る）、他のソースまたはワイヤレスデバイスからの干渉および／あるいは通信トラフィックを受け得る。その結果、そのような通信を受信した受信機（たとえば、ＵＥ１１５−ａ）は、送信のために実際に使用されたのとは異なる、チャネル２１５のセットを使用して送信が行われたと仮定し得る。受信機は、次いで、この間違った仮定に従って通信を受信し、復号することを試み得、これは、不成功の受信を生じ得、将来の送信に伝搬され得るフィードバックプロセス（たとえば、ハイブリッド自動再送要求（ＨＡＲＱ）プロセス）におけるエラーを潜在的に生成し得る。
【００５６】
[0063]いくつかの場合には、受信機によって使用されるチャネルアクティビティ検出ステップは、送信機によって各チャネル２１５中で送信されたプリアンブルの検出を通して、チャネル２１５ごとに完了され得る。プリアンブルは、知られているシーケンスであり得るが、いくつかの事例では、他のチャネル２１５のアクティビティに関係する情報を含んでいないことがある。したがって、いくつかのチャネル上のプリアンブルの検出は、どの特定のチャネル２１５が特定の時間期間中の送信のために使用されるかに関する情報を与えないことがある。たとえば、受信機は、４つの利用可能なチャネル２１５のうちの２つ上でプリアンブルを検出し得、検出された２つのチャネルがｅＣＣ送信のために使用されたと決定し得る。しかしながら、上記で説明されたように、別のデバイスが第３のチャネル上で送信することを開始した場合、これは、受信機が、第３のチャネル上で送信されたプリアンブルを受信するのを妨げ得、検出された２つのチャネルを使用して通信が送信されたという受信機決定は誤りになる。様々な態様は、そのような発生を低減するかまたはなくすのを助けるために、チャネルアクティビティを検証するための技法を提供する。
【００５７】
[0064]図３は、ジャミングデバイスがチャネル検出に影響を及ぼし得るマルチチャネル通信３００の一例を示す。いくつかの場合には、マルチチャネル通信３００は、図１〜図２を参照しながら説明されたようにＵＥ１１５または基地局１０５によって実行される技法の態様を表し得る。図３は、複数のチャネル上での通信における検出エラーの一例を表し、ここで、そのような検出エラーを識別するために完全性検査チャネルが使用され得る。
【００５８】
[0065]図３の例では、ワイヤレスシステムは、複数のサブチャネル上でＤＬおよびＵＬ送信を使用して通信し得る。たとえば、送信３０５は、チャネル３１０など、４つの２０ＭＨｚチャネルから構成された８０ＭＨｚ帯域幅を使用して送られ得る。いくつかの場合には、各チャネル３１０は、そのチャネルに固有であるプリアンブルなど、独立した制御情報を有し得る。送信３０５を送るときに、ワイヤレスデバイスは、たとえばＬＢＴプロシージャを通して、通信のために利用可能であると決定されたすべての４つのチャネル３１０（たとえば、ＣＨ０、ＣＨ１、ＣＨ２、およびＣＨ３）を使用し得る。
【００５９】
[0066]この例では、ジャマー３２０の形態の近くの高エネルギー干渉は、受信機が、ＣＨ２中で送信された通信のためのプリアンブルを検出するのを妨げ得る。ジャマー３２０の結果として、受信機は、ＣＨ２のためのプリアンブル３３５が受信されないので、残りのチャネルのためのプリアンブル３２５のみを受信し得、ＣＨ０、ＣＨ１、およびＣＨ３のみが通信のために最初に使用されたと間違って仮定し得る。
【００６０】
[0067]マルチチャネル通信およびチャネルアクティビティ検出の信頼性を改善するために、様々な例は、チャネルアクティビティの誤検出を識別するために使用され得るＬ１プロトコル完全性検査技法を提供する。そのような技法は、チャネルアクティビティの誤検出を識別するために使用され得、いくつかの例における受信機は、誤検出に関連する時間期間の間の送信を単に無視し得る。したがって、そのような技法は、送信を単に無視することによる消去確率を、間違ったチャネルアクティビティ検出に基づいて通信を復号することを試みることによって生成されたエラーからのエラー確率とトレードオフする。いくつかの例では、送信は、完全性検査情報の送信のためにＬ１論理チャネルを使用し得る。いくつかの例では、既存のＬ１チャネルが完全性検査情報のために再利用され得（たとえば、ＤＬ送信のための物理フレームフォーマットインジケータチャネル（ＰＦＦＩＣＨ））、他の例では、新しいＬ１論理チャネルが与えられ得る。たとえば、ＰＦＦＩＣＨと同様の構造を有し得、たとえば、１つのコードワードを有し得る、新しいＬ１論理チャネルが与えられ得る。いくつかの例では、送信内の完全性検査論理チャネルのロケーション（たとえば、完全性検査チャネルのために使用されるリソース要素（ＲＥ））は、送信において使用される周波数チャネルの異なる組合せについて異なり得る。たとえば、ＲＥの第１のセットは周波数チャネル０、１、および３のための完全性検査情報のために使用され得、ＲＥの異なるセットは周波数チャネル１、２、および３のために使用され得る。受信機は、検出されたチャネルアクティビティに関連するＲＥのセットからの完全性検査情報を決定することを試み、その完全性検査情報と、検出されたチャネルアクティビティのための予想される完全性検査情報との比較に基づいて、正しいチャネルアクティビティ検出を確認し得る。
【００６１】
[0068]チャネルアクティビティ検出および確認の一例が図４に示されており、図４は、信頼できるマルチチャネルアクティビティ検出のための完全性検査情報を用いたマルチチャネル通信４００の一例を与える。いくつかの場合には、マルチチャネル通信４００は、図１〜図２を参照しながら説明されたようにＵＥ１１５または基地局１０５によって実行される技法の態様を表し得る。図４は、マルチチャネル通信における完全性検査情報の使用の一例を与える。
【００６２】
[0069]図４の例では、ワイヤレスデバイスが、複数のチャネル４１０を含むマルチチャネル送信４０５を送り得る。いくつかの例では、各チャネル４１０は、各チャネル４１０内の第１のロケーション４１５において完全性検査情報を含み得る（たとえば、完全性検査情報に関連するＲＥ）。いくつかの場合には、完全性検査情報は、各チャネル４１０内のプリアンブルに続き得、各チャネル４１０中のロケーション４１５におけるＲＥに一様にハッシングされたランダムシーケンスであり得る。いくつかの場合には、完全性検査情報のために使用されるＲＥ、または完全性検査情報のためのスクランブリングシーケンスは、異なるチャネルアクティビティパターンについて異なり得る（たとえば、ＣＨ０／１／２は第１のパターンを有し、ＣＨ１／２／３は第２のパターンを有するなど）。いくつかの場合には、チャネルアクティビティパターンは、完全性検査情報のスクランブリングのためのシードまたはスクランブリングシーケンスを生成するために使用され得るビットマップによって表され得る。
【００６３】
[0070]上述のように、ジャマー（図示せず）がＣＨ２中に存在する場合、受信機は、ＣＨ０、ＣＨ１、およびＣＨ３が送信のために使用されたと仮定し得る。チャネルアクティビティ検出結果４２５を決定すると、受信機は、消失したチャネル情報４３５の結果としてＣＨ０／１／３のみが使用されたという仮定の下で完全性検査情報の第２のロケーション４３０を決定し得る。受信機は、チャネル検出に基づいて、第２のロケーションのために計算された対数尤度比（ＬＬＲ）と予想されたＬＬＲとの間の比較としてソフトメトリックを計算し得る。しかしながら、完全性検査情報は第２のロケーション４３０において送信されなかったので、ソフトメトリックは、第２のロケーションにおけるＬＬＲと完全性検査情報との間に相関がほとんどまたはまったくないことによる比較的小さい値、あるいはあらかじめ定義されたしきい値よりも小さい値を有し得る。ソフトメトリックの値に基づいて、受信機は、仮定されたチャネル使用が間違っていると決定し得る。いくつかの例では、あらかじめ定義されたしきい値がソフトメトリックのために設定される。いくつかの例では、ソフトメトリックの値は、たとえば、無線リソース制御シグナリング中でシグナリングされ得る。
【００６４】
[0071]図４の例を続けると、第２のロケーション４３０は第１のロケーション４１５とは異なるので、ソフトメトリックの値は、あらかじめ定義されたしきい値よりも低い可能性が高くなり、受信機は、送信のために使用された実際のチャネルについての初期仮定が間違っていると決定し得る。いくつかの例では、受信機は、受信された送信を単に無視することによって通信を検出消去として扱い得る。送信機は、そのような場合、送信の肯定応答が受信されないと決定し、たとえば、確立されたフィードバックおよび再送信プロトコルに従って、ある時間期間に続いて再送信し得る。
【００６５】
[0072]完全性検査チャネルＲＥの異なるロケーションが図４に示されているが、他の例では、完全性検査チャネルロケーションは各チャネル内の同じロケーションにあり、しかし、異なるコーディングが異なるチャネルアクティビティのために使用され得、これは、受信機におけるチャネルアクティビティの仮定が正しいかどうかを決定するために使用され得る。
【００６６】
[0073]さらに、いくつかの例では、チャネルの追加の候補サブセット上の１つまたは複数の追加の完全性検査候補が使用され得る。たとえば、受信機は、受信機がプリアンブル送信を検出したチャネルの信号強度とは異なる１つのチャネル上の信号強度を検出し得る。受信機は、異なる信号強度を与えているジャマーが存在し得ると決定するために、この情報を使用し得る。そのような場合、受信機はまた、ジャミングされたチャネルを含むチャネルのサブセットのための完全性検査情報を検証することを試み得る。チャネルの代替候補サブセットのための完全性検査情報が正しいとわかった場合、受信機は、代替候補サブセットに基づいて、受信された送信を復号することを試み得る。
【００６７】
[0074]図５は、マルチチャネルアクティビティのための他の候補を使用する完全性検査のためのマルチチャネル通信５００の一例を示す。いくつかの場合には、マルチチャネル通信５００は、図１〜図２を参照しながら説明されたようにＵＥ１１５または基地局１０５によって実行される技法の態様を表し得る。図５は、追加のチャネルアクティビティ検出候補を使用する完全性検査検証の一例を示す。
【００６８】
[0075]図５の例では、ワイヤレスデバイスが、複数のチャネル５１０を含むマルチチャネル送信５０５を送り得る。いくつかの例では、各チャネル５１０は、送信内の第１のロケーション５１５において完全性検査情報を含み得る。上記で説明されたのと同様に、第１のロケーションは、送信のために使用されるチャネルの特定の組合せに基づいて決定され得る。いくつかの場合には、完全性検査情報は、各チャネル５１０内のプリアンブルに続き得、各チャネル内の第１のロケーション５１５における対応するチャネルのＲＥに一様にハッシングされたランダムシーケンスであり得る。いくつかの場合には、完全性検査チャネルのために使用されるＲＥ、または完全性検査チャネルのためのスクランブリングシーケンスは、異なるチャネルアクティビティパターンについて異なり得る（たとえば、ＣＨ０／１／２／３は第１のロケーションにマッピングされるのに対して、ＣＨ０／１／３は第２のロケーションにマッピングされるなど）。
【００６９】
[0076]前述のように、高エネルギージャマー（図示せず）がＣＨ２中に存在する場合、受信機によって識別された第１のチャネルアクティビティ検出候補５２５に基づいて、受信機は、ＣＨ０、ＣＨ１、およびＣＨ３が送信のために使用されたと仮定し得る。受信機は、ソフトメトリックを計算し得、ここで、ソフトメトリックの値は、たとえば、ＣＨ０、ＣＨ１、およびＣＨ３のみが送信において使用されたそれと仮定して、第２の完全性検査ロケーション５３０にわたって算出され得る。しかしながら、第２のロケーション５３０は完全性検査情報を含んでいないので、ソフトメトリックは、比較的小さい値、またはあらかじめ定義されたしきい値よりも小さい値を有し得、受信機は、仮定されたチャネル使用が間違っていると決定し得る。
【００７０】
[0077]いくつかの場合には、第２のチャネルアクティビティ検出候補５４０が受信機によって識別され得、ここで、ソフトメトリックは、すべての４つのチャネル（ＣＨ０／１／２／３）が送信において使用されたと仮定して、第１の完全性検査チャネルロケーション５１５にわたって算出され得る。いくつかの場合には、ロケーション５４５におけるＲＥが不在であることによりＣＨ２推定が利用可能でないことがあり、ソフトメトリック算出はＣＨ２中の完全性チャネルロケーションを含まないことがある。いくつかの場合には、より少数のＲＥが、ソフトメトリックを算出するために使用されるときでも、ソフトメトリックは、信号対雑音比が適度に良好であるとき、依然として、あらかじめ定義されたしきい値を上回り得、ＣＨ０／１／２／３は実際のチャネルアクティビティとして宣言され得る。
【００７１】
[0078]いくつかの場合には、完全性検査情報は、各チャネル５１０上でプリアンブルの後に送信され得る。いくつかの例では、完全性検査チャネルは、使用されるサブチャネル中のＲＥに一様にハッシングされた知られているランダムシーケンスであり得る。完全性検査チャネルのために使用されるＲＥおよび／または完全性検査チャネルのためのスクランブリングシーケンスは、上述のように、異なるチャネルアクティビティパターンについて異なり得る。受信機がチャネルアクティビティパターンを検出したとき、受信機は、完全性検査チャネルのために使用されるＲＥを識別し、各ビットのためのＬＬＲを収集し得る。次いで、知られているシーケンスを使用してＬＬＲをデスクランブルすることによって、ソフトメトリックが算出され得る。
【００７２】
[0079]いくつかの場合には、ソフトメトリックは、ソフトメトリック計算において使用されるチャネルアクティビティの仮定に従って異なる値をとり得る。たとえば、チャネルアクティビティのための仮定が正しい場合、ソフトメトリックは比較的大きいことがある。代替的に、チャネルアクティビティの仮定が間違っている場合、収集されたＲＥも間違っていることがある。すなわち、収集されたシーケンスは、知られている完全性検査チャネルシーケンスに無相関であり得、したがって、ソフトメトリックは比較的小さいことがある。いくつかの場合には、受信機は、ソフトメトリックがあらかじめ定義されたしきい値を上回るときのみ、チャネルアクティビティ検出を成功したと見なし得る。他の例では、完全性検査チャネルが他の情報を搬送するために兼用になる（すなわち、複数のコードワードを含む）場合、ソフトメトリックは、すべてのコードワードのソフトメトリックの最大値であり得る。
【００７３】
[0080]一例として、送信機は、４つのチャネル（たとえば、チャネル０、１、２、および３）にわたって第１の送信時間期間中にシグナリングを与え得、完全性検査情報は、４つのチャネルの各々中のいくつかのロケーション中で送信され得る。しかしながら、ＣＨ２など、１つのチャネル中のジャマーにより、受信機は、ＣＨ０／１／３が使用されていることのみを検出し得る。受信機は、チャネルアクティビティ検出に基づいて、ＣＨ０／１／３送信に関連する完全性検査チャネルのためのロケーションのセットを識別し得る。受信機は、次いで、ＣＨ０／１／３のみが使用されるという仮定の下で、完全性検査チャネルを検査し得、ソフトメトリックがあらかじめ定義されたしきい値よりも低いと決定することになる。その結果、受信機は、ＣＨ０／１／３検出結果が有効でないと宣言し、それを検出消去として扱い得る。たとえば、チャネルアクティビティ検出結果のロケーション中で収集されたＲＥは、知られている完全性検査チャネルシーケンスとは無相関であり得る。そのような場合、受信機は、第１の送信時間期間の受信を信頼できないと宣言し、再送信を促すために、そのような受信を、受信されなかったとしてまたは消去として扱い得る。そのようなプロセスは、ＨＡＲＱエラーが将来の送信に伝搬されるのを防ぎ得る。
【００７４】
[0081]いくつかの例では、上述のように、そのような消去イベントを少なくともある程度まで補正することによって通信信頼性を改善するのを助けるために、さらなる処理が使用され得る。いくつかの例では、受信機は、チャネルアクティビティ検出結果のための複数のサブチャネル候補を形成し得る。たとえば、チャネルが使用されているとして検出されないが、検出されたジャマー（たとえば、他のサブチャネルよりも高い総エネルギーレベルをもつ信号）がある場合、ジャミングされたチャネルが、依然として送信のために使用されているが、ジャミングにより検出されないことがある可能性があるので、受信機は、ジャミングされたチャネルがオンまたはオフである２つの候補を形成し得る。したがって、いくつかの例では、候補を生成するために候補管理ブロックが使用され得、候補は、それらが、送信のために使用された実際のチャネルである可能性が高いかどうかを決定するために評価され得る。いくつかの例では、ジャミングされたチャネルについて、チャネル推定が利用可能でないことがあり、ＬＬＲ値も利用可能でないことがあり、その場合、ジャミングされたチャネル中のロケーションのためのソフトメトリック蓄積はスキップされ得る。
【００７５】
[0082]残りのチャネルのための蓄積されたソフトメトリックはしきい値よりも大きいことがあり、これは、送信のために使用された実際のチャネルが、ジャミングされたチャネルを含んだ可能性が高いことを示し得る。いくつかの例では、ソフトメトリックのためのしきい値は、送信機によって使用されたチャネルのすべてよりも少ないチャネルにわたってソフトメトリックが算出されることを考慮するために、補償され得る。受信機は、次いで、この情報に基づいて、受信された送信を復号することを試み得る。チャネルの候補サブセットの決定は様々な異なる技法に従って行われ得る。いくつかの例では、すべてのチャネル使用組合せが受信機によって考慮され得、最も高いソフトメトリック値をもつ組合せが、送信のために使用された可能性の高い送信チャネルを決定するために選択され得る。他の例では、チャネルの各々について検出されたエネルギーレベルが評価され得、１つまたは複数のチャネルのためのエネルギーレベルが、（１つまたは複数の）特定のチャネルがチャネルの初期サブセット中に含まれていることを引き起こしたであろう値に比較的近かった場合、これらの（１つまたは複数の）チャネルを使用した組合せがチャネルの候補サブセット中に含められ得る。
【００７６】
[0083]より詳細には、４つのチャネル上の送信に続いて１つのチャネル中でジャマーが検出された例を使用して、上記で説明されたように、受信機は、２つの異なる候補（たとえば、ジャマーがＣＨ２上で検出された場合、ＣＨ０／１／３およびＣＨ０／１／２／３）を形成し得る。第１の候補（ＣＨ０／１／３）の場合、ソフトメトリックは、ＣＨ０／１／３が使用されると仮定して、対応する完全性検査ロケーションにわたって算出され得る。得られたソフトメトリック計算は、仮定が間違っている場合、小さいことがある。第２の候補（ＣＨ０／１／２／３）の場合、ソフトメトリックは、ＣＨ０／１／２／３が使用されると仮定して、完全性検査ロケーションにわたって算出され得る。しかしながら、ＣＨ２のためのチャネル推定が利用可能でないことがあるので、ソフトメトリック算出は、ＣＨ２中の完全性検査チャネルロケーションをスキップし得る。したがって、より少数のＲＥが、ソフトメトリックを算出するために使用され得るが、ソフトメトリックは、あらかじめ定義されたしきい値を上回ると決定され得、ＣＨ０／１／２／３は実際のチャネルアクティビティとして宣言され得る。受信機は、次いで、宣言された実際のチャネルアクティビティに基づいて送信を復号することを試みることに進み得、送信の少なくとも一部分を受信し、復号することに成功し得る。
【００７７】
[0084]いくつかの場合には、ｅＣＣを使用するＤＬ通信の場合、基地局側で、ＤＬバーストはＣＲＳで開始し、その後に完全性検査の送信（たとえば、再利用されたＰＦＦＩＣＨ）が続き得、ここで、ＣＲＳは、使用されるチャネル上でのみ送信され得る。いくつかの場合には、ＣＲＳスクランブリングはチャネル使用パターンに依存しない。いくつかの例では、上述のように、完全性検査チャネルＲＥのロケーションはインターリーブされ得、したがって、異なるチャネル使用仮定の下で、同じ完全性検査チャネルＲＥが同じロケーションにハッシングされないことがある。いくつかの例では、ＵＥは、チャネルごとにＣＲＳ検出を実行し得、ＣＲＳが検出された場合、ＵＥは、チャネル推定のためにＣＲＳを使用し、完全性検査チャネル情報がコーディングされる例では、完全性検査チャネル復号を進め得る。完全性検査情報のコーディングがない例では、復号はなく、ＵＥは、デスクランブルされたＬＬＲ和を単に算出し得る。ＵＥは、ソフトメトリックを算出し、ソフトメトリックをしきい値と比較し得る。ソフトメトリックがしきい値を上回る場合、ＵＥは、ＤＬバーストが検出されたと宣言し得る。ソフトメトリックがしきい値を下回る場合、ＵＥは、ＣＲＳ検出が誤検出であったと宣言し得、随意に、チャネルの（１つまたは複数の）追加の候補サブセットを決定することを試みることに進み、（１つまたは複数の）他の候補サブセットに基づいてソフトメトリック計算を実行し得る。
【００７８】
[0085]たとえば、ＣＲＳがいくつかのチャネル中で検出され、ジャマーが他のチャネル中で検出され得る（これは、場合によってはミス検出であり得る）か、またはいくつかの検出されたチャネルが大きい干渉レベルを有し得る（これは、場合によっては誤検出であり得る）。そのようなＣＲＳ検出に基づいて他の候補サブセットが識別され得、余分の完全性検査チャネル復号が試みられ得る。ＣＲＳが検出されないチャネルの場合、利用可能なチャネル推定がないことがあり、その場合、ＵＥは、関連するＲＥを、それらが消去され、ソフトメトリック中に含まれないかのように単に扱い得る。ＵＥは、復号されたソフトメトリックを識別された候補のすべてにわたって比較し、さらなる処理のために最大ソフトメトリック値をもつ識別された候補を選び得る。
【００７９】
[0086]他の例では、ｅＣＣを使用するＵＬ通信の場合、ＵＥは、基地局からＵＬ許可を受信し、許可された、後続のＬＢＴプロシージャをクリアするチャネル上でのみ送信し得る。いくつかの例では、ＵＬ許可中で１つのチャネルのみが許可された場合、完全性検査チャネルは送信に含まれないことがある。２つ以上のチャネルが許可された場合、完全性検査チャネルはＤＭ−ＲＳ送信の後に送信され得る。いくつかの場合には、完全性検査チャネルは、ＤＬ  ＰＦＦＩＣＨと同様の構造を有するが、コーディングなしであり得る（たとえば、特殊ＵＥ固有４８ＲＥ４位相シフトキーイング（ＱＰＳＫ）シーケンス）。いくつかの例では、完全性検査チャネルＲＥロケーションはチャネル使用パターンに依存し得る。基地局は、いくつかの例によれば、許可されたチャネルについて２０ＭＨｚチャネルごとにＤＭ−ＲＳ検出のみを実行し得る。
【００８０】
[0087]ＤＭ−ＲＳが検出された場合、基地局は、ＤＭ−ＲＳをチャネル推定のために使用し、完全性検査チャネルソフトメトリック算出を進め得る。チャネル上にコーディングがない例では、復号はなく、基地局は、デスクランブルされたＬＬＲ和を単に算出し得る。基地局は、次いで、ソフトメトリックをしきい値と比較し、ここで、ＬＬＲ和またはソフトメトリックがしきい値を上回る場合、ＵＬバーストが検出されており、あるいはＬＬＲ和またはソフトメトリックがしきい値を下回る場合、ＤＭ−ＲＳ検出がフォールスポジティブであったと宣言し得る。そのような決定に続いて、基地局は、いくつかの例では、上記で説明されたのと同様にして、キャリアの１つまたは複数の追加の候補サブセットを決定することに進み、（１つまたは複数の）追加の候補に関して完全性検査チャネルソフトメトリック算出を実行し、受信／復号を試み得、ここで、候補のうちの１つが、送信のために使用された実際のチャネルであると決定される。
【００８１】
[0088]図６は、本開示の様々な態様による、信頼できるマルチチャネルアクティビティ検出のための完全性検査のためのプロセスフロー６００の一例を示す。プロセスフロー６００は、図１〜図５を参照しながら説明された対応するデバイスの例であり得る、基地局１０５−ｂとＵＥ１１５−ｂとを含み得る。プロセスフロー６００は、基地局１０５−ｂが、ＵＥ１１５−ｂによる受信のために完全性検査情報を識別し、送信する一例を表すが、いずれのデバイスも、完全性検査情報を送信することと受信することとの間で交替し得る。
【００８２】
[0089]ステップ６０５において、基地局１０５−ｂは、ワイヤレス通信を送信するための２つまたはそれ以上の利用可能なワイヤレス通信チャネルを識別し得る。いくつかの例では、利用可能なワイヤレス通信チャネルは、共有無線周波数スペクトル帯域中のワイヤレス通信チャネル（たとえば、８０ＭＨｚ送信帯域幅の４つの２０ＭＨｚチャネル）を含む利用可能なワイヤレス通信チャネルのセットの一部であり得る。いくつかの場合には、第１の時間期間中の送信のために利用可能な２つまたはそれ以上のワイヤレス通信チャネルの識別は、利用可能なワイヤレス通信チャネルのセットの各ワイヤレス通信チャネル上で実行されるＬＢＴプロシージャに基づき得る。ＬＢＴプロシージャは、ブロック６１０において示されるように、第１の時間期間中の送信のための各チャネルの利用可能性を決定し得、第１の時間期間中のワイヤレス送信のために使用され得る少なくとも１つのワイヤレス通信チャネルを識別するために使用され得る。
【００８３】
[0090]いくつかの例では、プロセスがＵＥ１１５−ｂによって実行されるとき、利用可能なワイヤレス通信チャネルのセットは、基地局１０５−ｂからのアップリンク許可中で受信され、共有無線周波数スペクトル帯域中のワイヤレス通信チャネルを含み得る。そのような場合、第１の時間期間中の送信のために利用可能なワイヤレス通信チャネルを識別することは、第１の時間期間中のＵＬ送信のための各チャネルの利用可能性を決定するために、アップリンク許可の各ワイヤレス通信チャネル上でＬＢＴプロシージャを実行することを含み得る。ＵＥ１１５−ｂは、次いで、ＬＢＴプロシージャに基づいて、ＬＢＴプロシージャに基づいて第１の時間期間中の送信のために利用可能である利用可能なワイヤレス通信チャネルのセットのうちの少なくとも１つのワイヤレス通信チャネルを識別し得る。
【００８４】
[0091]ステップ６１５において、基地局１０５−ｂは、第１の時間期間中の送信のために利用可能な識別された少なくとも１つのワイヤレス通信チャネルを示す完全性検査情報を選択し得る。いくつかの例では、基地局１０５−ｂは、利用可能なワイヤレス通信チャネルのセットのうちのどのワイヤレス通信チャネルがワイヤレス通信を送信するために使用されるかに少なくとも部分的に基づいて、ワイヤレス通信チャネルの各々上の送信内の完全性検査情報のロケーションを決定し得る。いくつかの場合には、完全性検査情報は、決定されたロケーションにおけるＲＥに一様にハッシングされた知られているビットシーケンスを含む。いくつかの例では、完全性検査情報のビットパターン（たとえば、ビットマップ）は、利用可能なワイヤレス通信チャネルのセットのうちのどのワイヤレス通信チャネルがワイヤレス通信を送信するために使用されるかに少なくとも部分的に基づいて決定される。いくつかの例では、完全性検査情報はＵＥ固有４８ＲＥ  ＱＰＳＫシーケンスを含む。
【００８５】
[0092]基地局１０５−ｂは、第１の時間期間中の識別された少なくとも１つのワイヤレス通信チャネル中で完全性検査情報６２０を送信し得、ＵＥ１１５−ｂは、ワイヤレス通信チャネルのサブセット上でワイヤレス通信を受信し得る。いくつかの例では、基地局１０５−ｂは、識別されたワイヤレス通信チャネルの各々を使用して基準信号（ＲＳ）を送信し得、ここで、完全性検査情報は、識別されたワイヤレス通信チャネルの各々中のＲＳの後に送信される。いくつかの場合には、ＵＥは、ワイヤレス通信チャネルのサブセットを、ＲＳがその上で検出された各チャネルとして識別し得る。いくつかの例では、基地局１０５−ｂによって送信される完全性情報は、ＰＦＦＩＣＨまたは新しいＬ１チャネルなど、Ｌ１チャネルを使用する。他の例では、ＵＥ１１５−ｂが完全性検査情報を送信するとき、完全性検査情報は、Ｌ１チャネルを使用してＵＥ１１５−ｂによって送信され得る。ステップ６２５において、ＵＥ１１５−ｂは、受信されたワイヤレス通信チャネルの識別されたサブセットのワイヤレス通信チャネル中の完全性検査情報を決定し得る。
【００８６】
[0093]ステップ６３０において、ＵＥ１１５−ｂは、完全性検査情報に少なくとも部分的に基づいて、ワイヤレス通信チャネルの識別されたサブセットが、第１の時間期間中のワイヤレス通信の送信のために使用されたワイヤレス通信チャネルの実際のサブセットと同じであるかどうかを決定し得る。いくつかの場合には、ＵＥ１１５−ｂは、完全性検査情報に少なくとも部分的に基づいて、ワイヤレス通信チャネルの１つまたは複数の他のサブセットが、潜在的に、第１の時間期間中のワイヤレス通信の送信のために使用されたワイヤレス通信チャネルの実際のサブセットであり得るかどうかを決定し得る。いくつかの場合には、決定することは、利用可能なワイヤレス通信チャネルのセットのうちのどのワイヤレス通信チャネルがワイヤレス通信チャネルのサブセット中に含まれるかに少なくとも部分的に基づいて、ワイヤレス通信チャネルの識別されたサブセットの各ワイヤレス通信チャネル上の送信内の完全性検査情報のロケーションを決定することと、完全性検査情報のロケーションの各々のためのＬＬＲを決定することと、ワイヤレス通信チャネルのサブセットに関連する所定のビットシーケンスを使用してＬＬＲをデスクランブルすることと、デスクランブルされたＬＬＲとワイヤレス通信チャネルのサブセットに関連する所定のビットシーケンスとの間の相関に少なくとも部分的に基づいてソフトメトリックを算出することとを含む。
【００８７】
[0094]いくつかの例では、ＵＥ１１５−ｂは、ブロック６３５において示されるように、識別されたサブセット以外の利用可能なワイヤレス通信チャネルのセットのうちの別のサブセットが第１の時間期間中のワイヤレス通信の送信のために潜在的に使用され得ると随意に決定し得る。そのような決定は、たとえば、ソフトメトリックがしきい値を下回るとき、行われ得る。いくつかの例では、チャネルの１つまたは複数の他のサブセットの各々についてソフトメトリックが決定され得、サブセットのうちの１つが、決定されたソフトメトリックに基づいて選択され得る。
【００８８】
[0095]いくつかの場合には、完全性検査情報は、決定されたロケーションにおけるＲＥに一様にハッシングされた所定のビットシーケンスを含み、決定されたロケーションは、利用可能なワイヤレス通信チャネルのセットのうちのどのワイヤレス通信チャネルがワイヤレス通信を送信するために使用されるかに少なくとも部分的に基づいて決定される。いくつかの場合には、完全性検査情報の所定のビットパターンは、利用可能なワイヤレス通信チャネルのセットのうちのどのワイヤレス通信チャネルがワイヤレス通信を送信するために使用されるかに少なくとも部分的に基づいて識別される。
【００８９】
[0096]いくつかの場合には、ワイヤレス通信チャネルの識別されたサブセットが、第１の時間期間中のワイヤレス通信の送信のために使用されたワイヤレス通信チャネルの実際のサブセットと同じでないと決定され、ＵＥ１１５−ｂが、１つまたは複数の候補サブセットのうちの第１の候補サブセットがワイヤレス通信の送信のために使用されたと決定したとき、ＵＥ１１５−ｂは、第１の候補サブセットに基づいてワイヤレス通信の少なくとも一部分を復号し得る。
【００９０】
[0097]いくつかの例では、１つまたは複数の候補サブセットを識別することは、別の送信機が、利用可能なワイヤレス通信チャネルのセットのうちの第１のワイヤレス通信チャネルを使用して送信していると決定することと、ワイヤレス通信チャネルのサブセットと第１のワイヤレス通信チャネルとを含む第１の候補サブセットを識別することとを含む。いくつかの場合には、ワイヤレス通信チャネルのサブセットを識別することは、ワイヤレス通信チャネルのセットの各ワイヤレス通信チャネルのエネルギーレベルを測定することと、ワイヤレス通信チャネルのサブセットを、しきい値を超えるエネルギーレベルを有するワイヤレス通信チャネルのセットの各チャネルとして識別することとを含む。
【００９１】
[0098]図７は、本開示の様々な態様による、信頼できるマルチチャネルアクティビティ検出のための完全性検査チャネルをサポートするワイヤレスデバイス７００のブロック図を示す。ワイヤレスデバイス７００は、図１〜図６を参照しながら説明されたＵＥ１１５または基地局１０５の態様の一例であり得る。ワイヤレスデバイス７００は、受信機７０５と、完全性検査モジュール７１０と、送信機７１５とを含み得る。ワイヤレスデバイス７００はプロセッサをも含み得る。これらの構成要素の各々は互いと通信していることがある。
【００９２】
[0099]受信機７０５は、パケット、ユーザデータ、または様々な情報チャネルに関連する制御情報（たとえば、制御チャネル、データチャネル、および信頼できるマルチチャネルアクティビティ検出のための完全性検査情報など）などの情報を受信し得る。情報は、デバイスの他の構成要素に受け渡され得る。受信機７０５は、図１０を参照しながら説明されるトランシーバ１０２５または図１１を参照しながら説明されるトランシーバ１１２５の態様の一例であり得る。
【００９３】
[0100]ワイヤレスデバイス７００が送信を受信しているとき、完全性検査モジュール７１０は、第１の時間期間中のワイヤレス送信を含んでいる利用可能なワイヤレス通信チャネルのセットのうちのワイヤレス通信チャネルのサブセットを識別し、ワイヤレス通信チャネルのサブセット上でのワイヤレス通信の受信を管理し、ワイヤレス通信チャネルのサブセットのワイヤレス通信チャネル中の完全性検査情報を決定し、完全性検査情報に少なくとも部分的に基づいて、ワイヤレス通信チャネルの識別されたサブセットが、第１の時間期間中のワイヤレス通信の送信のために使用されたワイヤレス通信チャネルの実際のサブセットと同じであるかどうかを決定し得る。
【００９４】
[0101]ワイヤレスデバイス７００が通信を送信しているとき、完全性検査モジュール７１０は、ワイヤレス通信を送信するための２つまたはそれ以上の利用可能なワイヤレス通信チャネルのセットを識別し、第１の時間期間中の送信のために利用可能である利用可能なワイヤレス通信チャネルのセットのうちの少なくとも１つのワイヤレス通信チャネルを識別し、識別された少なくとも１つのワイヤレス通信チャネルを示す完全性検査情報を選択し、第１の時間期間中の識別された少なくとも１つのワイヤレス通信チャネル中での完全性検査情報の送信を管理し得る。完全性検査モジュール７１０はまた、図１０を参照しながら説明されるＵＥ完全性検査モジュール１００５または図１１を参照しながら説明される基地局完全性検査モジュール１１０５の態様の一例であり得る。
【００９５】
[0102]送信機７１５は、ワイヤレスデバイス７００の他の構成要素から受信された信号を送信し得る。いくつかの例では、送信機７１５は、トランシーバモジュール中で受信機とコロケートされ得る。たとえば、送信機７１５は、図１０を参照しながら説明されるトランシーバ１０２５または図１１を参照しながら説明されるトランシーバ１１２５の態様の一例であり得る。送信機７１５は単一のアンテナを含み得るか、またはそれは複数のアンテナを含み得る。
【００９６】
[0103]図８は、本開示の様々な態様による、信頼できるマルチチャネルアクティビティ検出のための完全性検査チャネルをサポートするワイヤレスデバイス８００のブロック図を示す。ワイヤレスデバイス８００は、図１〜図７を参照しながら説明されたワイヤレスデバイス７００またはＵＥ１１５または基地局１０５の態様の一例であり得る。ワイヤレスデバイス８００は、受信機８０５と、完全性検査モジュール８１０と、送信機８３５とを含み得る。ワイヤレスデバイス８００はプロセッサをも含み得る。これらの構成要素の各々は互いと通信していることがある。
【００９７】
[0104]受信機８０５は、デバイスの他の構成要素に受け渡され得る情報を受信し得る。受信機８０５はまた、図７の受信機７０５を参照しながら説明された機能を実行し得る。受信機８０５は、図１０を参照しながら説明されるトランシーバ１０２５または図１１を参照しながら説明されるトランシーバ１１２５の態様の一例であり得る。
【００９８】
[0105]完全性検査モジュール８１０は、図７を参照しながら説明された完全性検査モジュール７１０の態様の一例であり得る。完全性検査モジュール８１０は、チャネル識別構成要素８１５と、完全性検査情報構成要素８２０と、完全性検査指示構成要素８２５と、候補検出構成要素８３０とを含み得る。完全性検査モジュール８１０は、図１０を参照しながら説明されるＵＥ完全性検査モジュール１００５または図１１を参照しながら説明される基地局完全性検査モジュール１１０５の態様の一例であり得る。
【００９９】
[0106]チャネル識別構成要素８１５は、ワイヤレス通信を送信するための２つまたはそれ以上の利用可能なワイヤレス通信チャネルのセットを識別し、第１の時間期間中の送信のために利用可能である利用可能なワイヤレス通信チャネルのセットのうちの少なくとも１つのワイヤレス通信チャネルを識別し得る。利用可能なワイヤレス通信チャネルのセットの識別は、共有無線周波数帯域中で利用可能ないくつかのサブチャネルに基づき得、少なくとも１つのワイヤレス通信チャネルは、たとえば、チャネルの各々上で実行されるＬＢＴプロシージャに基づいて識別され得る。完全性検査情報構成要素８２０は、ワイヤレス通信チャネルのサブセットのワイヤレス通信チャネル中の完全性検査情報を決定し、第１の時間期間中の送信のために利用可能な識別された少なくとも１つのワイヤレス通信チャネルを示す完全性検査情報を選択し得る。いくつかの場合には、完全性検査情報はＵＥ固有４８ＲＥ  ＱＰＳＫシーケンスを含む。いくつかの場合には、完全性検査情報は、決定されたロケーションにおけるＲＥに一様にハッシングされた所定のビットシーケンスを含む。決定されたロケーションは、利用可能なワイヤレス通信チャネルのセットのうちのどのワイヤレス通信チャネルがワイヤレス通信を送信するために使用されるかに少なくとも部分的に基づいて決定され得る。いくつかの場合には、完全性検査情報の所定のビットパターンは、利用可能なワイヤレス通信チャネルのセットのうちのどのワイヤレス通信チャネルがワイヤレス通信を送信するために使用されるかに少なくとも部分的に基づいて識別され得る。
【０１００】
[0107]完全性検査指示構成要素８２５は、第１の時間期間中の識別された少なくとも１つのワイヤレス通信チャネル中の送信のための完全性検査情報を与え、利用可能なワイヤレス通信チャネルのセットのうちのどのワイヤレス通信チャネルがワイヤレス通信を送信するために使用されるかに少なくとも部分的に基づいて、ワイヤレス通信チャネルの各々上の送信内の完全性検査情報のロケーションを決定し得る。いくつかの場合には、完全性検査情報は、識別されたワイヤレス通信チャネルの各々中のＲＳ送信の後に送信される。
【０１０１】
[0108]チャネル検出構成要素８３０は、第１の時間期間中のワイヤレス送信を含んでいる利用可能なワイヤレス通信チャネルのセットのうちのワイヤレス通信チャネルのサブセットを識別し、ワイヤレス通信チャネルのサブセット上でのワイヤレス通信の受信を管理し、完全性検査情報に少なくとも部分的に基づいて、ワイヤレス通信チャネルの識別されたサブセットが、第１の時間期間中のワイヤレス通信の送信のために使用されたワイヤレス通信チャネルの実際のサブセットと同じであるかどうかを決定し得る。
【０１０２】
[0109]チャネル検出構成要素８３０は、いくつかの例では、完全性検査情報に少なくとも部分的に基づいて、ワイヤレス通信チャネルの１つまたは複数の他のサブセットが、潜在的に、第１の時間期間中のワイヤレス通信の送信のために使用されたワイヤレス通信チャネルの実際のサブセットであり得るかどうかを決定し得る。いくつかの例では、チャネル検出構成要素８３０はまた、第１の時間期間中のワイヤレス通信の送信のために潜在的に使用された１つまたは複数の他のサブセットのうちの第１の候補サブセットを識別し得る。第１の候補サブセットは、いくつかの例では、ワイヤレス通信チャネルの識別されたサブセットと、干渉が検出された識別されたサブセットに加えて、第１のワイヤレス通信チャネルとを含み得る。いくつかの例では、チャネル検出構成要素は、ワイヤレス通信チャネルのサブセットを、しきい値を超えるエネルギーレベルを有するワイヤレス通信チャネルのセットの各チャネルとして識別し、ワイヤレス通信チャネルの識別されたサブセットと第１のワイヤレス通信チャネルとを含む第１の候補サブセットを識別し得る。
【０１０３】
[0110]いくつかの場合には、チャネル検出構成要素８３０は、利用可能なワイヤレス通信チャネルのセットのうちのどのワイヤレス通信チャネルがワイヤレス通信チャネルのサブセット中に含まれるかに少なくとも部分的に基づいて、ワイヤレス通信チャネルのサブセットの各ワイヤレス通信チャネル上の送信内の完全性検査情報のロケーションを決定し得る。
【０１０４】
[0111]送信機８３５は、ワイヤレスデバイス８００の他の構成要素から受信された信号を送信し得る。いくつかの例では、送信機８３５は、トランシーバモジュール中で受信機とコロケートされ得る。たとえば、送信機８３５は、図１０を参照しながら説明されるトランシーバ１０２５または図１１を参照しながら説明されるトランシーバ１１２５の態様の一例であり得る。送信機８３５は単一のアンテナを利用し得るか、またはそれは複数のアンテナを利用し得る。
【０１０５】
[0112]図９は、ワイヤレスデバイス７００またはワイヤレスデバイス８００の対応する構成要素の一例であり得る完全性検査モジュール９００のブロック図を示す。すなわち、完全性検査モジュール９００は、図７および図８を参照しながら説明された完全性検査モジュール７１０または完全性検査モジュール８１０の態様の一例であり得る。完全性検査モジュール９００はまた、図１０を参照しながら説明されるＵＥ完全性検査モジュール１００５または図１１を参照しながら説明される基地局完全性検査モジュール１１０５の態様の一例であり得る。
【０１０６】
[0113]完全性検査モジュール９００は、チャネル識別構成要素９０５と、完全性検査情報構成要素９１０と、完全性検査指示構成要素９１５と、チャネル検出構成要素９２０と、基準信号構成要素９２５と、Ｌ１チャネル構成要素９３０と、（ＬＬＲ構成要素を含み得る）エネルギーレベル測定構成要素９３５と、ソフトメトリック構成要素９４０と、デコーダ９４５と、ＬＢＴ構成要素９５０とを含み得る。これらのモジュールの各々は、直接または間接的に、（たとえば、１つまたは複数のバスを介して）互いと通信し得る。
【０１０７】
[0114]チャネル識別構成要素９０５は、完全性検査モジュール９００がワイヤレス通信を送信するために使用されている場合、ワイヤレス通信を送信するための２つまたはそれ以上の利用可能なワイヤレス通信チャネルのセットを識別し、第１の時間期間中の送信のために利用可能である利用可能なワイヤレス通信チャネルのセットのうちの少なくとも１つのワイヤレス通信チャネルを識別し得る。２つまたはそれ以上の利用可能なワイヤレス通信チャネルのセットは、共有無線周波数スペクトル帯域の２つまたはそれ以上のサブチャネル（たとえば、８０ＭＨｚチャネルの４つの２０ＭＨｚサブチャネル）として識別され得、少なくとも１つのワイヤレス通信チャネルは、サブチャネルの各々について実行されるＬＢＴプロシージャに基づいて識別され得る。
【０１０８】
[0115]チャネル識別構成要素９０５は、完全性検査モジュール９００がワイヤレス通信を受信するために使用されているとき、第１の時間期間中のワイヤレス送信を含んでいる利用可能なワイヤレス通信チャネルのセットのうちのワイヤレス通信チャネルのサブセットを識別し、完全性検査情報に少なくとも部分的に基づいて、ワイヤレス通信チャネルの識別されたサブセットが、第１の時間期間中のワイヤレス通信の送信のために使用されたワイヤレス通信チャネルの実際のサブセットと同じであるかどうかを決定し得る。
【０１０９】
[0116]チャネル識別構成要素９０５はまた、完全性検査情報に少なくとも部分的に基づいて、ワイヤレス通信チャネルの１つまたは複数の他のサブセットが、潜在的に、第１の時間期間中のワイヤレス通信の送信のために使用されたワイヤレス通信チャネルの実際のサブセットであり得るかどうかを決定し得る。そのような場合、チャネル識別構成要素９０５は、ワイヤレス通信チャネルの識別されたサブセット以外の第１の候補サブセットを識別し得る。いくつかの例では、チャネル識別構成要素９０５は、ワイヤレス通信チャネルのサブセットを、しきい値を超えるエネルギーレベルを有するワイヤレス通信チャネルのセットの各チャネルとして識別し得、ワイヤレス通信チャネルのサブセットと、第１のワイヤレス通信チャネルに関連する測定されたエネルギーレベルに基づいて選択され得る第１のワイヤレス通信チャネルとを含む第１の候補サブセットを識別し得る。
【０１１０】
[0117]完全性検査情報構成要素９１０は、第１の時間期間中の送信のために利用可能な識別された少なくとも１つのワイヤレス通信チャネルを示す完全性検査情報を選択し得る。いくつかの場合には、完全性検査情報はＵＥ固有４８ＲＥ  ＱＰＳＫシーケンスを含む。いくつかの場合には、完全性検査情報は、決定されたロケーションにおけるリソース要素に一様にハッシングされた所定のビットシーケンスを含む。決定されたロケーションは、利用可能なワイヤレス通信チャネルのセットのうちのどのワイヤレス通信チャネルがワイヤレス通信を送信するために使用されるかに少なくとも部分的に基づいて決定され得る。いくつかの場合には、完全性検査情報の所定のビットパターンは、利用可能なワイヤレス通信チャネルのセットのうちのどのワイヤレス通信チャネルがワイヤレス通信を送信するために使用されるかに少なくとも部分的に基づいて識別される。
【０１１１】
[0118]完全性検査指示構成要素９１５は、完全性検査モジュール９００がワイヤレス通信の送信において使用される場合、第１の時間期間中の識別された少なくとも１つのワイヤレス通信チャネル中で完全性検査情報を送信し得る。完全性検査モジュール９００がワイヤレス通信の受信において使用される場合、完全性検査指示構成要素９１５は、利用可能なワイヤレス通信チャネルのセットのうちのどのワイヤレス通信チャネルがワイヤレス通信を送信するために使用されるかに少なくとも部分的に基づいて、ワイヤレス通信チャネルの各々上の送信内の完全性検査情報のロケーションを決定し得る。いくつかの場合には、完全性検査情報は、決定されたロケーションにおけるリソース要素に一様にハッシングされた知られているビットシーケンスを含む。いくつかの場合には、完全性検査情報のビットパターンは、利用可能なワイヤレス通信チャネルのセットのうちのどのワイヤレス通信チャネルがワイヤレス通信を送信するために使用されるかに少なくとも部分的に基づいて決定される。いくつかの場合には、完全性検査情報は、識別されたワイヤレス通信チャネルの各々中のＲＳの後に送信される。
【０１１２】
[0119]基準信号構成要素９２５は、識別されたワイヤレス通信チャネルの各々を使用してＲＳを送信し得る。基準信号は、たとえば、ダウンリンク送信の場合にはＣＲＳ、およびアップリンク通信の場合にはＤＭ−ＲＳであり得る。Ｌ１チャネル構成要素９３０は、完全性検査情報を送信するようにＬ１チャネルを構成し得る。いくつかの例では、ダウンリンク送信のためのＬ１チャネルはＰＦＦＩＣＨであり得る。
【０１１３】
[0120]エネルギーレベル測定構成要素９３５は、ワイヤレス通信チャネルのセットの各ワイヤレス通信チャネルのエネルギーレベルを測定し得る。いくつかの場合には、１つまたは複数の識別されたワイヤレス通信チャネルは、ワイヤレス通信チャネルのための測定されたエネルギーレベルが、チャネルが送信のために使用されていることを示し得るエネルギーしきい値からのあらかじめ定義された範囲内にあると決定することによって識別され得る。いくつかの例では、エネルギーレベル測定構成要素９３５は、完全性検査情報のロケーションの各々のためのＬＬＲを決定し得るＬＬＲ構成要素を含み、ワイヤレス通信チャネルのサブセットに関連する所定のビットシーケンスを使用して対数尤度比をデスクランブルし得る。
【０１１４】
[0121]ソフトメトリック構成要素９４０は、デスクランブルされた対数尤度比とワイヤレス通信チャネルの識別されたサブセットに関連する所定のビットシーケンスとの間の相関に少なくとも部分的に基づいてソフトメトリックを算出し得、ソフトメトリックがしきい値を下回るとき、識別されたサブセット以外の利用可能なワイヤレス通信チャネルのセットのうちの別のサブセットが第１の時間期間中のワイヤレス通信の送信のために潜在的に使用され得ると決定し得る。ソフトメトリック構成要素９４０は、ソフトメトリックがしきい値を上回るとき、ワイヤレス通信チャネルの識別されたサブセットのチャネルが、第１の時間期間中のワイヤレス通信の送信のために実際に使用されたと決定し得る。
【０１１５】
[0122]デコーダ９６０は、第１の候補サブセットに基づいてワイヤレス通信の少なくとも一部分を復号し得る。完全性検査情報が完全性検査チャネル中にコーディングされる例では、デコーダ９６０は完全性検査情報を復号し得る。
【０１１６】
[0123]ＬＢＴ構成要素９５０は、リッスンビフォアトークプロシージャに少なくとも部分的に基づいて、少なくとも１つのワイヤレス通信チャネルを、送信のために利用可能である利用可能なワイヤレス通信チャネルのセットのうちのチャネルとして識別し得る。いくつかの場合には、利用可能なワイヤレス通信チャネルのセットは共有無線周波数スペクトル帯域中のワイヤレス通信チャネルを含み得、第１の時間期間中の送信のために利用可能なワイヤレス通信チャネルを識別することは、第１の時間期間中の送信のための各チャネルの利用可能性を決定するために、利用可能なワイヤレス通信チャネルのセットの各ワイヤレス通信チャネル上でリッスンビフォアトークプロシージャを実行することを含み得る。ＵＬ送信の場合、利用可能なワイヤレス通信チャネルのセットは、基地局からのアップリンク許可中で受信され得、共有無線周波数スペクトル帯域中の２つまたはそれ以上のワイヤレス通信チャネルを含み得、ここで、第１の時間期間中の送信のために利用可能なワイヤレス通信チャネルを識別することは、アップリンク送信のための第１の時間期間中の送信のための各チャネルの利用可能性を決定するために、利用可能なワイヤレス通信チャネルのセットの各ワイヤレス通信チャネル上でリッスンビフォアトークプロシージャを実行することを含む。
【０１１７】
[0124]図１０は、本開示の様々な態様による、信頼できるマルチチャネルアクティビティ検出のための完全性検査チャネルをサポートするデバイスを含むシステム１０００の図を示す。たとえば、システム１０００は、図１〜図９を参照しながら説明されたように、ワイヤレスデバイス７００、ワイヤレスデバイス８００、またはＵＥ１１５の一例であり得る、ＵＥ１１５−ｃを含み得る。
【０１１８】
[0125]ＵＥ１１５−ｃは、ＵＥ完全性検査モジュール１００５と、プロセッサ１０１０と、メモリ１０１５と、トランシーバ１０２５と、アンテナ１０３０と、ｅＣＣモジュール１０３５とを含み得る。これらのモジュールの各々は、直接または間接的に、（たとえば、１つまたは複数のバスを介して）互いと通信し得る。ＵＥ完全性検査モジュール１００５は、図７〜図９を参照しながら説明されたように、完全性検査モジュールの一例であり得る。
【０１１９】
[0126]プロセッサ１０１０は、インテリジェントハードウェアデバイス、（たとえば、中央処理ユニット（ＣＰＵ）、マイクロコントローラ、特定用途向け集積回路（ＡＳＩＣ）など）を含み得るメモリ１０１５は、ランダムアクセスメモリ（ＲＡＭ）と読取り専用メモリ（ＲＯＭ）とを含み得る。メモリ１０１５は、実行されたとき、プロセッサに本明細書で説明される様々な機能（たとえば、信頼できるマルチチャネルアクティビティ検出のための完全性検査チャネルなど）を実行させる命令を含むコンピュータ可読、コンピュータ実行可能ソフトウェアを記憶し得る。いくつかの場合には、ソフトウェア１０２０は、プロセッサによって直接的に実行可能でないことがあるが、（たとえば、コンパイルされ実行されたとき）コンピュータに本明細書で説明される機能を実行させ得る。
【０１２０】
[0127]トランシーバ１０２５は、上記で説明されたように、１つまたは複数のアンテナ、ワイヤードリンク、またはワイヤレスリンクを介して、１つまたは複数のネットワークと双方向に通信し得る。たとえば、トランシーバ１０２５は基地局１０５−ｃと双方向に通信し得る。トランシーバ１０２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１０３０を含み得る。しかしながら、いくつかの場合には、デバイスは、複数のワイヤレス送信をコンカレントに送信または受信することが可能であり得る２つ以上のアンテナ１０３０を有し得る。
【０１２１】
[0128]ｅＣＣモジュール１０３５は、共有または無認可スペクトルを使用する通信、低減された送信時間間隔（ＴＴＩ）またはサブフレーム持続時間を使用する通信、あるいは多数のコンポーネントキャリア（ＣＣ）を使用する通信など、ｅＣＣを使用する動作を可能にし得る。
【０１２２】
[0129]図１１は、本開示の様々な態様による、信頼できるマルチチャネルアクティビティ検出のための完全性検査チャネルをサポートするように構成されたデバイスを含むワイヤレスシステム１１００の図を示す。たとえば、システム１１００は、図１〜図９を参照しながら説明されたように、ワイヤレスデバイス７００、ワイヤレスデバイス８００、または基地局１０５の一例であり得る、基地局１０５−ｄを含み得る。基地局１０５−ｄは、通信を送信するための構成要素と通信を受信するための構成要素とを含む、双方向音声およびデータ通信のための構成要素を含み得る。たとえば、基地局１０５−ｄは、ＵＥ１１５−ｄおよび１１５−ｅなど、１つまたは複数のＵＥ１１５と双方向に通信し得る。
【０１２３】
[0130]基地局１０５−ｄは、基地局完全性検査モジュール１１０５と、プロセッサ１１１０と、メモリ１１１５と、トランシーバ１１２５と、アンテナ１１３０と、基地局通信モジュール１１３５と、ネットワーク通信モジュール１１４０とをも含み得る。これらのモジュールの各々は、直接または間接的に、（たとえば、１つまたは複数のバスを介して）互いと通信し得る。基地局完全性検査モジュール１１０５は、図７〜図９を参照しながら説明されたように、完全性検査モジュールの一例であり得る。
【０１２４】
[0131]プロセッサ１１１０は、インテリジェントハードウェアデバイス、（たとえば、ＣＰＵ、マイクロコントローラ、ＡＳＩＣなど）を含み得るメモリ１１１５はＲＡＭおよびＲＯＭを含み得る。メモリ１１１５は、実行されたとき、プロセッサに本明細書で説明される様々な機能（たとえば、信頼できるマルチチャネルアクティビティ検出のための完全性検査チャネルなど）を実行させる命令を含むコンピュータ可読、コンピュータ実行可能ソフトウェアを記憶し得る。いくつかの場合には、ソフトウェア１１２０は、プロセッサによって直接的に実行可能でないことがあるが、（たとえば、コンパイルされ実行されたとき）コンピュータに本明細書で説明される機能を実行させ得る。
【０１２５】
[0132]トランシーバ１１２５は、上記で説明されたように、１つまたは複数のアンテナ、ワイヤードリンク、またはワイヤレスリンクを介して、１つまたは複数のネットワークと双方向に通信し得る。たとえば、トランシーバ１１２５は、基地局１０５またはＵＥ１１５と双方向に通信し得る。トランシーバ１１２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１１３０を含み得る。しかしながら、いくつかの場合には、デバイスは、複数のワイヤレス送信をコンカレントに送信または受信することが可能であり得る２つ以上のアンテナ１０３０を有し得る。
【０１２６】
[0133]基地局通信モジュール１１３５は、基地局１０５−ｅおよび基地局１０５−ｆなど、他の基地局１０５との通信を管理し得、他の基地局１０５と協働してＵＥ１１５との通信を制御するためのコントローラまたはスケジューラを含み得る。たとえば、基地局通信モジュール１１３５は、ビームフォーミングまたはジョイント送信などの様々な干渉緩和技法のためのＵＥ１１５への送信のためのスケジューリングを協調させ得る。いくつかの例では、基地局通信モジュール１１３５は、基地局１０５間の通信を行うために、ＬＴＥ／ＬＴＥ−Ａワイヤレス通信ネットワーク技術内のＸ２インターフェースを与え得る。
【０１２７】
[0134]ネットワーク通信モジュール１１４０は、（たとえば、１つまたは複数のワイヤードバックホールリンクを介して）コアネットワーク１３０−ａとの通信を管理し得る。たとえば、ネットワーク通信モジュール１１４０は、１つまたは複数のＵＥ１１５など、クライアントデバイスのためのデータ通信の転送を管理し得る。
【０１２８】
[0135]図１２は、本開示の様々な態様による、信頼できるマルチチャネルアクティビティ検出のための完全性検査チャネルのための方法１２００を示すフローチャートを示す。方法１２００の動作は、図１、図２、図６、図１０、または図１１を参照しながら説明されたように、ＵＥまたは基地局あるいはそれの構成要素によって実装され得る。たとえば、方法１２００の動作は、本明細書で説明されたように、完全性検査モジュールによって実行され得る。いくつかの例では、ＵＥまたは基地局は、以下で説明される機能を実行するようにデバイスの機能要素を制御するためのコードのセットを実行し得る。追加または代替として、ＵＥまたは基地局は、専用ハードウェアを使用して、以下で説明される機能態様を実行し得る。
【０１２９】
[0136]ブロック１２０５において、ＵＥまたは基地局は、図２〜図６を参照しながら上記で説明されたように、ワイヤレス通信を送信するための２つまたはそれ以上の利用可能なワイヤレス通信チャネルのセットを識別する。いくつかの例では、ブロック１２０５の動作は、図８〜図９を参照しながら説明されたように、チャネル識別構成要素によって実行され得る。
【０１３０】
[0137]ブロック１２１０において、ＵＥまたは基地局は、図２〜図６を参照しながら上記で説明されたように、第１の時間期間中の送信のために利用可能である利用可能なワイヤレス通信チャネルのセットのうちの少なくとも１つのワイヤレス通信チャネルを識別する。いくつかの例では、ブロック１２１０の動作は、図８〜図９を参照しながら説明されたように、チャネル識別構成要素によって実行され得る。
【０１３１】
[0138]ブロック１２１５において、ＵＥまたは基地局は、図２〜図６を参照しながら上記で説明されたように、第１の時間期間中の送信のために利用可能な識別された少なくとも１つのワイヤレス通信チャネルを示す完全性検査情報を選択する。いくつかの例では、ブロック１２１５の動作は、図８〜図９を参照しながら説明されたように、完全性検査情報構成要素によって実行され得る。
【０１３２】
[0139]ブロック１２２０において、ＵＥまたは基地局は、図２〜図６を参照しながら上記で説明されたように、第１の時間期間中の識別された少なくとも１つのワイヤレス通信チャネル中で完全性検査情報を送信する。いくつかの例では、ブロック１２２０の動作は、図８〜図９を参照しながら説明されたように、完全性検査指示構成要素によって実行され得る。
【０１３３】
[0140]図１３は、本開示の様々な態様による、信頼できるマルチチャネルアクティビティ検出のための完全性検査チャネルのための方法１３００を示すフローチャートを示す。方法１３００の動作は、図１、図２、図６、図１０、および図１１を参照しながら説明されたように、ＵＥ１１５または基地局１０５あるいはそれの構成要素によって実装され得る。たとえば、方法１３００の動作は、本明細書で説明されたように、完全性検査モジュールによって実行され得る。いくつかの例では、ＵＥまたは基地局は、以下で説明される機能を実行するようにデバイスの機能要素を制御するためのコードのセットを実行し得る。追加または代替として、ＵＥまたは基地局は、専用ハードウェアを使用して、以下で説明される機能態様を実行し得る。
【０１３４】
[0141]ブロック１３０５において、ＵＥまたは基地局は、図２〜図６を参照しながら上記で説明されたように、ワイヤレス通信を送信するための２つまたはそれ以上の利用可能なワイヤレス通信チャネルのセットを識別する。いくつかの例では、ブロック１３０５の動作は、図８〜図９を参照しながら説明されたように、チャネル識別構成要素によって実行され得る。
【０１３５】
[0142]ブロック１３１０において、ＵＥまたは基地局は、図２〜図６を参照しながら上記で説明されたように、第１の時間期間中の送信のために利用可能である利用可能なワイヤレス通信チャネルのセットのうちの少なくとも１つのワイヤレス通信チャネルを識別する。いくつかの例では、ブロック１３１０の動作は、図８〜図９を参照しながら説明されたように、チャネル識別構成要素によって実行され得る。
【０１３６】
[0143]ブロック１３１５において、ＵＥまたは基地局は、図２〜図６を参照しながら上記で説明されたように、第１の時間期間中の送信のために利用可能な識別された少なくとも１つのワイヤレス通信チャネルを示す完全性検査情報を選択する。いくつかの例では、ブロック１３１５の動作は、図８〜図９を参照しながら説明されたように、完全性検査情報構成要素によって実行され得る。
【０１３７】
[0144]ブロック１３２０において、ＵＥまたは基地局は、図２〜図６を参照しながら上記で説明されたように、利用可能なワイヤレス通信チャネルのセットのうちのどのワイヤレス通信チャネルがワイヤレス通信を送信するために使用されるかに基づいて、ワイヤレス通信チャネルの各々上の送信内の完全性検査情報のロケーションを決定する。いくつかの例では、ブロック１３２０の動作は、図８〜図９を参照しながら説明されたように、完全性検査指示構成要素によって実行され得る。
【０１３８】
[0145]ブロック１３２５において、ＵＥまたは基地局は、図２〜図６を参照しながら上記で説明されたように、第１の時間期間中の識別された少なくとも１つのワイヤレス通信チャネル中で完全性検査情報を送信する。いくつかの例では、ブロック１３２５の動作は、図８〜図９を参照しながら説明されたように、完全性検査指示構成要素によって実行され得る。
【０１３９】
[0146]図１４は、本開示の様々な態様による、信頼できるマルチチャネルアクティビティ検出のための完全性検査チャネルのための方法１４００を示すフローチャートを示す。方法１４００の動作は、図１、図２、図６、図１０、および図１１を参照しながら説明されたように、ＵＥまたは基地局あるいはそれの構成要素によって実装され得る。たとえば、方法１４００の動作は、本明細書で説明されたように、完全性検査モジュールによって実行され得る。いくつかの例では、ＵＥまたは基地局は、以下で説明される機能を実行するようにデバイスの機能要素を制御するためのコードのセットを実行し得る。追加または代替として、ＵＥまたは基地局は、専用ハードウェアを使用して、以下で説明される機能態様を実行し得る。
【０１４０】
[0147]ブロック１４０５において、ＵＥまたは基地局は、図２〜図６を参照しながら上記で説明されたように、第１の時間期間中のワイヤレス送信を含んでいる利用可能なワイヤレス通信チャネルのセットのうちのワイヤレス通信チャネルのサブセットを識別する。いくつかの例では、ブロック１４０５の動作は、図８〜図９を参照しながら説明されたように、チャネル識別構成要素によって実行され得る。
【０１４１】
[0148]ブロック１４１０において、ＵＥまたは基地局は、図２〜図６を参照しながら上記で説明されたように、ワイヤレス通信チャネルのサブセット上でワイヤレス通信を受信する。いくつかの例では、ブロック１４１０の動作は、図８〜図９を参照しながら説明されたように、チャネル識別構成要素によって実行され得る。
【０１４２】
[0149]ブロック１４１５において、ＵＥまたは基地局は、図２〜図６を参照しながら上記で説明されたように、ワイヤレス通信チャネルのサブセットのワイヤレス通信チャネル中の完全性検査情報を決定する。いくつかの例では、ブロック１４１５の動作は、図８〜図９を参照しながら説明されたように、完全性検査情報構成要素によって実行され得る。
【０１４３】
[0150]ブロック１４２０において、ＵＥまたは基地局は、図２〜図６を参照しながら上記で説明されたように、完全性検査情報に基づいて、ワイヤレス通信チャネルの識別されたサブセットが、第１の時間期間中のワイヤレス通信の送信のために使用されたワイヤレス通信チャネルの実際のサブセットと同じであるかどうかを決定する。いくつかの例では、ブロック１４２０の動作は、図８〜図９を参照しながら説明されたように、チャネル識別構成要素によって実行され得る。
【０１４４】
[0151]図１５は、本開示の様々な態様による、信頼できるマルチチャネルアクティビティ検出のための完全性検査チャネルのための方法１５００を示すフローチャートを示す。方法１５００の動作は、図１、図２、図６、図１０、および図１１を参照しながら説明されたように、ＵＥまたは基地局あるいはそれの構成要素によって実装され得る。たとえば、方法１５００の動作は、本明細書で説明されたように、完全性検査モジュールによって実行され得る。いくつかの例では、ＵＥまたは基地局は、以下で説明される機能を実行するようにデバイスの機能要素を制御するためのコードのセットを実行し得る。追加または代替として、ＵＥまたは基地局は、専用ハードウェアを使用して、以下で説明される機能態様を実行し得る。
【０１４５】
[0152]ブロック１５０５において、ＵＥまたは基地局は、図２〜図６を参照しながら上記で説明されたように、第１の時間期間中のワイヤレス送信を含んでいる利用可能なワイヤレス通信チャネルのセットのうちのワイヤレス通信チャネルのサブセットを識別する。いくつかの例では、ブロック１５０５の動作は、図８〜図９を参照しながら説明されたように、チャネル識別構成要素によって実行され得る。
【０１４６】
[0153]ブロック１５１０において、ＵＥまたは基地局は、図２〜図６を参照しながら上記で説明されたように、ワイヤレス通信チャネルのサブセット上でワイヤレス通信を受信する。いくつかの例では、ブロック１５１０の動作は、図８〜図９を参照しながら説明されたように、チャネル識別構成要素によって実行され得る。
【０１４７】
[0154]ブロック１５１５において、ＵＥまたは基地局は、図２〜図６を参照しながら上記で説明されたように、ワイヤレス通信チャネルのサブセットのワイヤレス通信チャネル中の完全性検査情報を決定する。いくつかの例では、ブロック１５１５の動作は、図８〜図９を参照しながら説明されたように、完全性検査情報構成要素によって実行され得る。
【０１４８】
[0155]ブロック１５２０において、ＵＥまたは基地局は、図２〜図６を参照しながら上記で説明されたように、完全性検査情報に基づいて、ワイヤレス通信チャネルの識別されたサブセットが、第１の時間期間中のワイヤレス通信の送信のために使用されたワイヤレス通信チャネルの実際のサブセットと同じであるかどうかを決定する。いくつかの例では、ブロック１５２０の動作は、図８〜図９を参照しながら説明されたように、チャネル識別構成要素によって実行され得る。
【０１４９】
[0156]ブロック１５２５において、ＵＥまたは基地局は、図２〜図６を参照しながら上記で説明されたように、完全性検査情報に基づいて、ワイヤレス通信チャネルの１つまたは複数の他のサブセットが、潜在的に、第１の時間期間中のワイヤレス通信の送信のために使用されたワイヤレス通信チャネルの実際のサブセットであり得るかどうかを決定する。いくつかの例では、ブロック１５２５の動作は、図８〜図９を参照しながら説明されたように、チャネル識別構成要素によって実行され得る。
【０１５０】
[0157]図１６は、本開示の様々な態様による、信頼できるマルチチャネルアクティビティ検出のための完全性検査チャネルのための方法１６００を示すフローチャートを示す。方法１６００の動作は、図１、図２、図６、図１０、および図１１を参照しながら説明されたように、ＵＥまたは基地局あるいはそれの構成要素によって実装され得る。たとえば、方法１６００の動作は、本明細書で説明されたように、完全性検査モジュールによって実行され得る。いくつかの例では、ＵＥまたは基地局は、以下で説明される機能を実行するようにデバイスの機能要素を制御するためのコードのセットを実行し得る。追加または代替として、ＵＥまたは基地局は、専用ハードウェアを使用して、以下で説明される機能態様を実行し得る。
【０１５１】
[0158]ブロック１６０５において、ＵＥまたは基地局は、図２〜図６を参照しながら上記で説明されたように、第１の時間期間中のワイヤレス送信を含んでいる利用可能なワイヤレス通信チャネルのセットのうちのワイヤレス通信チャネルのサブセットを識別する。いくつかの例では、ブロック１６０５の動作は、図８〜図９を参照しながら説明されたように、チャネル識別構成要素によって実行され得る。
【０１５２】
[0159]ブロック１６１０において、ＵＥまたは基地局は、図２〜図６を参照しながら上記で説明されたように、ワイヤレス通信チャネルのサブセット上でワイヤレス通信を受信する。いくつかの例では、ブロック１６１０の動作は、図８〜図９を参照しながら説明されたように、チャネル識別構成要素によって実行され得る。
【０１５３】
[0160]ブロック１６１５において、ＵＥまたは基地局は、図２〜図６を参照しながら上記で説明されたように、ワイヤレス通信チャネルのサブセットのワイヤレス通信チャネル中の完全性検査情報を決定する。いくつかの例では、ブロック１６１５の動作は、図８〜図９を参照しながら説明されたように、完全性検査情報構成要素によって実行され得る。
【０１５４】
[0161]ブロック１６２０において、ＵＥまたは基地局は、図２〜図６を参照しながら上記で説明されたように、完全性検査情報に基づいて、ワイヤレス通信チャネルの識別されたサブセットが、第１の時間期間中のワイヤレス通信の送信のために使用されたワイヤレス通信チャネルの実際のサブセットと同じであるかどうかを決定する。いくつかの例では、ブロック１６２０の動作は、図８〜図９を参照しながら説明されたように、チャネル識別構成要素によって実行され得る。
【０１５５】
[0162]ブロック１６２５において、ＵＥまたは基地局は、図２〜図６を参照しながら上記で説明されたように、ワイヤレス通信チャネルの識別されたサブセットが、第１の時間期間中のワイヤレス通信の送信のために使用されたワイヤレス通信チャネルの実際のサブセットと同じでないと決定されたとき、ワイヤレス通信チャネルの識別されたサブセットとは異なるワイヤレス通信チャネルの１つまたは複数の候補サブセットを識別する。いくつかの例では、ブロック１６２５の動作は、図８〜図９を参照しながら説明されたように、チャネル識別構成要素によって実行され得る。
【０１５６】
[0163]ブロック１６３０において、ＵＥまたは基地局は、図２〜図６を参照しながら上記で説明されたように、１つまたは複数の候補サブセットのうちの第１の候補サブセットが第１の時間期間中のワイヤレス通信の送信のために使用されたと決定する。いくつかの例では、ブロック１６３０の動作は、図８〜図９を参照しながら説明されたように、チャネル識別構成要素によって実行され得る。
【０１５７】
[0164]ブロック１６３５において、ＵＥまたは基地局は、図２〜図６を参照しながら上記で説明されたように、第１の候補サブセットに基づいてワイヤレス通信の少なくとも一部分を復号する。いくつかの例では、ブロック１６３５の動作は、図９を参照しながら説明されたように、デコーダによって実行され得る。
【０１５８】
[0165]図１７は、本開示の様々な態様による、信頼できるマルチチャネルアクティビティ検出のための完全性検査チャネルのための方法１７００を示すフローチャートを示す。方法１７００の動作は、図１、図２、図６、図１０、および図１１を参照しながら説明されたように、ＵＥまたは基地局あるいはそれの構成要素によって実装され得る。たとえば、方法１７００の動作は、本明細書で説明されたように、完全性検査モジュールによって実行され得る。いくつかの例では、ＵＥまたは基地局は、以下で説明される機能を実行するようにデバイスの機能要素を制御するためのコードのセットを実行し得る。追加または代替として、ＵＥまたは基地局は、専用ハードウェアを使用して、以下で説明される機能態様を実行し得る。
【０１５９】
[0166]ブロック１７０５において、ＵＥまたは基地局は、図２〜図６を参照しながら上記で説明されたように、第１の時間期間中のワイヤレス送信を含んでいる利用可能なワイヤレス通信チャネルのセットのうちのワイヤレス通信チャネルのサブセットを識別する。いくつかの例では、ブロック１７０５の動作は、図８〜図９を参照しながら説明されたように、チャネル識別構成要素によって実行され得る。
【０１６０】
[0167]ブロック１７１０において、ＵＥまたは基地局は、図２〜図６を参照しながら上記で説明されたように、ワイヤレス通信チャネルのサブセット上でワイヤレス通信を受信する。いくつかの例では、ブロック１７１０の動作は、図８〜図９を参照しながら説明されたように、チャネル識別構成要素によって実行され得る。
【０１６１】
[0168]ブロック１７１５において、ＵＥまたは基地局は、図２〜図６を参照しながら上記で説明されたように、ワイヤレス通信チャネルのサブセットのワイヤレス通信チャネル中の完全性検査情報を決定する。いくつかの例では、ブロック１７１５の動作は、図８〜図９を参照しながら説明されたように、完全性検査情報構成要素によって実行され得る。
【０１６２】
[0169]ブロック１７２０において、ＵＥまたは基地局は、図２〜図６を参照しながら上記で説明されたように、完全性検査情報に基づいて、ワイヤレス通信チャネルの識別されたサブセットが、第１の時間期間中のワイヤレス通信の送信のために使用されたワイヤレス通信チャネルの実際のサブセットと同じであるかどうかを決定する。いくつかの例では、ブロック１７２０の動作は、図８〜図９を参照しながら説明されたように、チャネル識別構成要素によって実行され得る。
【０１６３】
[0170]ブロック１７２５において、ＵＥまたは基地局は、図２〜図６を参照しながら上記で説明されたように、利用可能なワイヤレス通信チャネルのセットのうちのどのワイヤレス通信チャネルがワイヤレス通信チャネルのサブセット中に含まれるかに基づいて、ワイヤレス通信チャネルのサブセットの各ワイヤレス通信チャネル上の送信内の完全性検査情報のロケーションを決定する。いくつかの例では、ブロック１７２５の動作は、図８〜図９を参照しながら説明されたように、チャネル識別構成要素によって実行され得る。
【０１６４】
[0171]ブロック１７３０において、ＵＥまたは基地局は、図２〜図６を参照しながら上記で説明されたように、完全性検査情報のロケーションの各々のためのＬＬＲを決定する。いくつかの例では、ブロック１７３０の動作は、図９を参照しながら説明されたように、エネルギーレベル測定構成要素によって実行され得る。
【０１６５】
[0172]ブロック１７３５において、ＵＥまたは基地局は、図２〜図６を参照しながら上記で説明されたように、ワイヤレス通信チャネルのサブセットに関連する所定のビットシーケンスを使用してＬＬＲをデスクランブルする。いくつかの例では、ブロック１７３５の動作は、図９を参照しながら説明されたように、デコーダによって実行され得る。
【０１６６】
[0173]ブロック１７４０において、ＵＥまたは基地局は、図２〜図６を参照しながら上記で説明されたように、デスクランブルされたＬＬＲとワイヤレス通信チャネルのサブセットに関連する所定のビットシーケンスとの間の相関に基づいてソフトメトリックを算出する。いくつかの例では、ブロック１７４０の動作は、図９を参照しながら説明されたように、ソフトメトリック構成要素によって実行され得る。
【０１６７】
[0174]これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。たとえば、方法の各々の態様は、他の方法のステップまたは態様、あるいは本明細書で説明される他のステップまたは技法を含み得る。したがって、本開示の態様は、信頼できるマルチチャネルアクティビティ検出のための完全性検査チャネルを提供し得る。
【０１６８】
[0175]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【０１６９】
[0176]本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的（ＰＨＹ）ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「１つまたは複数の」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１７０】
[0177]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７１】
[0178]本明細書で説明された技法は、ＣＤＭＡ、ＴＤＭＡ、ＦＤＭＡ（ＦＤＭＡ）、ＯＦＤＭＡ（ＯＦＤＭＡ）、シングルキャリア周波数分割多元接続（ＳＣ−ＦＤＭＡ）、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、（モバイル通信用グローバルシステム（ＧＳＭ（登録商標）：Global System for Mobile communications））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ワイヤレスフィデリティ（Ｗｉ−Ｆｉ（登録商標）））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunication System））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１７２】
[0179]本明細書で説明されたネットワークを含む、ＬＴＥ／ＬＴＥ−Ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る３ＧＰＰ用語である。
【０１７３】
[0180]基地局は、基地トランシーバ局、無線基地局、アクセスポイント（ＡＰ）、無線トランシーバ、ノードＢ、ｅＮＢ、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１７４】
[0181]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、ＣＣ）をサポートし得る。ＵＥは、マクロｅＮＢ、スモールセルｅＮＢ、リレー基地局などを含む、様々なタイプの基地局およびネットワーク機器と通信することが可能であり得る。
【０１７５】
[0182]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１７６】
[0183]本明細書で説明されたＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明された各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明された通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１７７】
[0184]したがって、本開示の態様は、信頼できるマルチチャネルアクティビティ検出のための完全性検査チャネルを提供し得る。これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。
【０１７８】
[0185]本明細書の開示に関して説明された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。したがって、本明細書で説明された機能は、１つまたは複数の他の処理ユニット（またはコア）によって、少なくとも１つの集積回路（ＩＣ）上で実行され得る。様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１７９】
[0186]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信の方法であって、
ワイヤレス通信を送信するための２つまたはそれ以上の利用可能なワイヤレス通信チャネルのセットを識別することと、
第１の時間期間中の送信のために利用可能である利用可能なワイヤレス通信チャネルの前記セットのうちの少なくとも１つのワイヤレス通信チャネルを識別することと、
前記第１の時間期間中の送信のために利用可能な前記識別された少なくとも１つのワイヤレス通信チャネルを示す完全性検査情報を選択することと、
前記第１の時間期間中の前記識別された少なくとも１つのワイヤレス通信チャネル中で前記完全性検査情報を送信することと
を備える方法。
［Ｃ２］
利用可能なワイヤレス通信チャネルの前記セットのうちのどのワイヤレス通信チャネルが前記ワイヤレス通信を送信するために使用されるかに少なくとも部分的に基づいて、前記少なくとも１つのワイヤレス通信チャネルの各々上の送信内の前記完全性検査情報のロケーションを決定すること
をさらに備える、Ｃ１に記載の方法。
［Ｃ３］
前記完全性検査情報が、前記決定されたロケーションにおけるリソース要素（ＲＥ）に一様にハッシングされた知られているビットシーケンスを備える、Ｃ２に記載の方法。
［Ｃ４］
利用可能なワイヤレス通信チャネルの前記セットのうちのどのワイヤレス通信チャネルが前記ワイヤレス通信を送信するために使用されるかに少なくとも部分的に基づいて、前記完全性検査情報のためのスクランブリングシーケンスを決定すること
をさらに備える、Ｃ１に記載の方法。
［Ｃ５］
前記完全性検査情報が、前記第１の時間期間中の送信のために利用可能である利用可能なワイヤレス通信チャネルの前記セットのうちの前記少なくとも１つのワイヤレス通信チャネルの各々中のＲＳの後に送信される、Ｃ１に記載の方法。
［Ｃ６］
前記完全性検査情報が、レイヤ１（Ｌ１）チャネルを使用して送信される、Ｃ１に記載の方法。
［Ｃ７］
利用可能なワイヤレス通信チャネルの前記セットが共有無線周波数スペクトル帯域中のワイヤレス通信チャネルを備え、前記第１の時間期間中の送信のために利用可能な前記ワイヤレス通信チャネルを前記識別することが、
前記第１の時間期間中の送信のための各チャネルの利用可能性を決定するために、利用可能なワイヤレス通信チャネルの前記セットの各ワイヤレス通信チャネル上でリッスンビフォアトーク（ＬＢＴ）プロシージャを実行することと、
前記ＬＢＴプロシージャに少なくとも部分的に基づいて、前記少なくとも１つのワイヤレス通信チャネルを、前記ＬＢＴプロシージャに少なくとも部分的に基づいて送信のために利用可能である利用可能なワイヤレス通信チャネルの前記セットのうちのチャネルとして識別することと
を備える、Ｃ６に記載の方法。
［Ｃ８］
前記完全性検査情報が、ユーザ機器（ＵＥ）固有リソース要素（ＲＥ）４位相シフトキーイング（ＱＰＳＫ）シーケンスを備える、Ｃ７に記載の方法。
［Ｃ９］
利用可能なワイヤレス通信チャネルの前記セットが基地局からのアップリンク（ＵＬ）許可中で受信される、Ｃ７に記載の方法。
［Ｃ１０］
ワイヤレス通信の方法であって、
第１の時間期間中のワイヤレス送信を含んでいる利用可能なワイヤレス通信チャネルのセットのうちのワイヤレス通信チャネルのサブセットを識別することと、
ワイヤレス通信チャネルの前記サブセット上でワイヤレス通信を受信することと、
ワイヤレス通信チャネルの前記サブセットの前記ワイヤレス通信チャネル中の完全性検査情報を決定することと、
前記完全性検査情報に少なくとも部分的に基づいて、ワイヤレス通信チャネルの前記識別されたサブセットが、前記第１の時間期間中の前記ワイヤレス通信の送信のために使用されたワイヤレス通信チャネルの実際のサブセットと同じであるかどうかを決定することと
を備える方法。
［Ｃ１１］
前記完全性検査情報に少なくとも部分的に基づいて、ワイヤレス通信チャネルの１つまたは複数の他のサブセットが、潜在的に、前記第１の時間期間中の前記ワイヤレス通信の送信のために使用されたワイヤレス通信チャネルの前記実際のサブセットであり得るかどうかを決定すること
をさらに備える、Ｃ１０に記載の方法。
［Ｃ１２］
ワイヤレス通信チャネルの前記サブセットを前記識別することが、
ワイヤレス通信チャネルの前記サブセットの前記ワイヤレス通信チャネルの各々上で基準信号（ＲＳ）を受信すること
を備える、Ｃ１０に記載の方法。
［Ｃ１３］
前記完全性検査情報が、ワイヤレス通信チャネルの前記サブセットの前記ワイヤレス通信チャネルの各々上で前記ＲＳの後に送信される、Ｃ１２に記載の方法。
［Ｃ１４］
ワイヤレス通信チャネルの前記識別されたサブセットが、前記第１の時間期間中の前記ワイヤレス通信の送信のために使用されたワイヤレス通信チャネルの前記実際のサブセットと同じでないと決定されたとき、前記方法は、
ワイヤレス通信チャネルの前記識別されたサブセットとは異なるワイヤレス通信チャネルの１つまたは複数の候補サブセットを識別することと、
前記１つまたは複数の候補サブセットのうちの第１の候補サブセットが前記第１の時間期間中の前記ワイヤレス通信の送信のために使用されたと決定することと、
前記第１の候補サブセットに基づいて前記ワイヤレス通信の少なくとも一部分を復号することと
をさらに備える、Ｃ１０に記載の方法。
［Ｃ１５］
１つまたは複数の候補サブセットを前記識別することは、
別の送信機が、利用可能なワイヤレス通信チャネルの前記セットのうちの第１のワイヤレス通信チャネルを使用して送信していると決定することと、
ワイヤレス通信チャネルの前記サブセットと前記第１のワイヤレス通信チャネルとを含む第１の候補サブセットを識別することと
を備える、Ｃ１４に記載の方法。
［Ｃ１６］
ワイヤレス通信チャネルの前記サブセットを前記識別することが、
ワイヤレス通信チャネルの前記セットの各ワイヤレス通信チャネルのエネルギーレベルを測定することと、
ワイヤレス通信チャネルの前記サブセットを、しきい値を超える前記測定されたエネルギーレベルを有するワイヤレス通信チャネルの前記セットの各チャネルとして識別することと
を備える、Ｃ１４に記載の方法。
［Ｃ１７］
１つまたは複数の候補サブセットを前記識別することは、
利用可能なワイヤレス通信チャネルの前記セットのうちの第１のワイヤレス通信チャネルのための前記測定されたエネルギーレベルが、前記しきい値からのあらかじめ定義された範囲内にあると決定することと、
ワイヤレス通信チャネルの前記サブセットと前記第１のワイヤレス通信チャネルとを含む第１の候補サブセットを識別することと
を備える、Ｃ１６に記載の方法。
［Ｃ１８］
ワイヤレス通信チャネルの前記サブセットの前記ワイヤレス通信チャネルの各々上で基準信号（ＲＳ）を受信することをさらに備え、ここにおいて、前記第１の候補サブセットが前記ＲＳに少なくとも部分的に基づいて決定される、
Ｃ１４に記載の方法。
［Ｃ１９］
前記決定することは、
利用可能なワイヤレス通信チャネルの前記セットのうちのどのワイヤレス通信チャネルがワイヤレス通信チャネルの前記サブセット中に含まれるかに少なくとも部分的に基づいて、ワイヤレス通信チャネルの前記サブセットの各ワイヤレス通信チャネル上の前記送信内の前記完全性検査情報のロケーションを決定することと、
前記完全性検査情報の前記決定されたロケーションの各々のための対数尤度比（ＬＬＲ）を決定することと、
ワイヤレス通信チャネルの前記サブセットに関連するビットシーケンスを使用して前記ＬＬＲをデスクランブルすることと、
前記デスクランブルされたＬＬＲとワイヤレス通信チャネルの前記サブセットに関連する前記ビットシーケンスとの間の相関に少なくとも部分的に基づいてソフトメトリックを算出することと
を備える、Ｃ１０に記載の方法。
［Ｃ２０］
前記ソフトメトリックがしきい値を下回るとき、前記識別されたサブセット以外の利用可能なワイヤレス通信チャネルの前記セットのうちの別のサブセットが前記第１の時間期間中の前記ワイヤレス通信の送信のために潜在的に使用され得ると決定することと、
前記ソフトメトリックが前記しきい値を上回るとき、ワイヤレス通信チャネルの前記識別されたサブセットが前記第１の時間期間中の前記ワイヤレス通信の送信のために実際に使用されたと決定することと
をさらに備える、Ｃ１９に記載の方法。
［Ｃ２１］
前記完全性検査情報が、前記決定されたロケーションにおけるＲＥに一様にハッシングされた前記ビットシーケンスを備え、ここにおいて、前記決定されたロケーションは、利用可能なワイヤレス通信チャネルの前記セットのうちのどのワイヤレス通信チャネルが前記ワイヤレス通信を送信するために使用されるかに少なくとも部分的に基づいて決定される、Ｃ１９に記載の方法。
［Ｃ２２］
前記完全性検査情報の前記ビットシーケンスは、利用可能なワイヤレス通信チャネルの前記セットのうちのどのワイヤレス通信チャネルが前記ワイヤレス通信を送信するために使用されるかに少なくとも部分的に基づいて識別される、Ｃ１９に記載の方法。
［Ｃ２３］
前記完全性検査情報が、レイヤ１（Ｌ１）チャネルを使用して送信される、Ｃ１０に記載の方法。
［Ｃ２４］
前記Ｌ１チャネルがＰＨＹフレームフォーマットインジケータチャネル（ＰＦＦＩＣＨ）である、Ｃ２３に記載の方法
［Ｃ２５］
前記完全性検査情報が、ユーザ機器（ＵＥ）固有リソース要素（ＲＥ）ＱＰＳＫシーケンスを備える、Ｃ２３に記載の方法。
［Ｃ２６］
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
ワイヤレス通信を送信するための２つまたはそれ以上の利用可能なワイヤレス通信チャネルのセットを識別することと、
第１の時間期間中の送信のために利用可能である利用可能なワイヤレス通信チャネルの前記セットのうちの少なくとも１つのワイヤレス通信チャネルを識別することと、
前記第１の時間期間中の送信のために利用可能な前記識別された少なくとも１つのワイヤレス通信チャネルを示す完全性検査情報を選択することと、
前記第１の時間期間中の前記識別された少なくとも１つのワイヤレス通信チャネル中で前記完全性検査情報を送信することと
を行わせるように動作可能である、装置。
［Ｃ２７］
前記命令は、前記プロセッサに、
利用可能なワイヤレス通信チャネルの前記セットのうちのどのワイヤレス通信チャネルが前記ワイヤレス通信を送信するために使用されるかに少なくとも部分的に基づいて、前記少なくとも１つのワイヤレス通信チャネルの各々上の送信内の前記完全性検査情報のロケーションを決定すること
を行わせるように動作可能である、Ｃ２６に記載の装置。
［Ｃ２８］
前記完全性検査情報のビットパターンは、利用可能なワイヤレス通信チャネルの前記セットのうちのどのワイヤレス通信チャネルが前記ワイヤレス通信を送信するために使用されるかに少なくとも部分的に基づいて決定される、Ｃ２６に記載の装置。
［Ｃ２９］
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
第１の時間期間中のワイヤレス送信を含んでいる利用可能なワイヤレス通信チャネルのセットのうちのワイヤレス通信チャネルのサブセットを識別することと、
ワイヤレス通信チャネルの前記サブセット上でワイヤレス通信を受信することと、    ワイヤレス通信チャネルの前記サブセットの前記ワイヤレス通信チャネル中の完全性検査情報を決定することと、
前記完全性検査情報に少なくとも部分的に基づいて、ワイヤレス通信チャネルの前記識別されたサブセットが、前記第１の時間期間中の前記ワイヤレス通信の送信のために使用されたワイヤレス通信チャネルの実際のサブセットと同じであるかどうかを決定することと
を行わせるように動作可能である、装置。
［Ｃ３０］
ワイヤレス通信チャネルの前記識別されたサブセットが、前記第１の時間期間中の前記ワイヤレス通信の送信のために使用されたワイヤレス通信チャネルの前記実際のサブセットと同じでないと決定されたとき、前記命令は、前記プロセッサに、
ワイヤレス通信チャネルの前記識別されたサブセットとは異なるワイヤレス通信チャネルの１つまたは複数の候補サブセットを識別することと、
前記１つまたは複数の候補サブセットのうちの第１の候補サブセットが前記第１の時間期間中の前記ワイヤレス通信の送信のために使用されたと決定することと、
前記第１の候補サブセットに基づいて前記ワイヤレス通信の少なくとも一部分を復号することと
を行わせるように動作可能である、Ｃ２９に記載の装置。
［Ｃ３１］
ワイヤレス通信の装置であって、
ワイヤレス通信を送信するための２つまたはそれ以上の利用可能なワイヤレス通信チャネルのセットを識別するための手段と、
第１の時間期間中の送信のために利用可能である利用可能なワイヤレス通信チャネルの前記セットのうちの少なくとも１つのワイヤレス通信チャネルを識別するための手段と、  前記第１の時間期間中の送信のために利用可能な前記識別された少なくとも１つのワイヤレス通信チャネルを示す完全性検査情報を選択するための手段と、
前記第１の時間期間中の前記識別された少なくとも１つのワイヤレス通信チャネル中で前記完全性検査情報を送信するための手段と
を備える装置。
［Ｃ３２］
利用可能なワイヤレス通信チャネルの前記セットのうちのどのワイヤレス通信チャネルが前記ワイヤレス通信を送信するために使用されるかに少なくとも部分的に基づいて、前記少なくとも１つのワイヤレス通信チャネルの各々上の送信内の前記完全性検査情報のロケーションを決定するための手段
をさらに備える、Ｃ３１に記載の装置。
［Ｃ３３］
前記完全性検査情報が、前記決定されたロケーションにおけるリソース要素（ＲＥ）に一様にハッシングされた知られているビットシーケンスを備える、Ｃ３２に記載の装置。
［Ｃ３４］
利用可能なワイヤレス通信チャネルの前記セットのうちのどのワイヤレス通信チャネルが前記ワイヤレス通信を送信するために使用されるかに少なくとも部分的に基づいて、前記完全性検査情報のためのスクランブリングシーケンスを決定するための手段
をさらに備える、Ｃ３１に記載の装置。
［Ｃ３５］
前記完全性検査情報が、前記第１の時間期間中の送信のために利用可能である利用可能なワイヤレス通信チャネルの前記セットのうちの前記少なくとも１つのワイヤレス通信チャネルの各々中のＲＳの後に送信される、Ｃ３１に記載の装置。
［Ｃ３６］
前記完全性検査情報が、レイヤ１（Ｌ１）チャネルを使用して送信される、Ｃ３１に記載の装置。
［Ｃ３７］
利用可能なワイヤレス通信チャネルの前記セットが共有無線周波数スペクトル帯域中のワイヤレス通信チャネルを備え、前記第１の時間期間中の送信のために利用可能な前記ワイヤレス通信チャネルを識別するための前記手段が、
前記第１の時間期間中の送信のための各チャネルの利用可能性を決定するために、利用可能なワイヤレス通信チャネルの前記セットの各ワイヤレス通信チャネル上でリッスンビフォアトーク（ＬＢＴ）プロシージャを実行するための手段と、
前記ＬＢＴプロシージャに少なくとも部分的に基づいて、前記少なくとも１つのワイヤレス通信チャネルを、前記ＬＢＴプロシージャに少なくとも部分的に基づいて送信のために利用可能である利用可能なワイヤレス通信チャネルの前記セットのうちのチャネルとして識別するための手段と
を備える、Ｃ３６に記載の装置。
［Ｃ３８］
前記完全性検査情報が、ユーザ機器（ＵＥ）固有リソース要素（ＲＥ）４位相シフトキーイング（ＱＰＳＫ）シーケンスを備える、Ｃ３７に記載の装置。
［Ｃ３９］
利用可能なワイヤレス通信チャネルの前記セットが基地局からのアップリンク（ＵＬ）許可中で受信される、Ｃ３７に記載の装置。
［Ｃ４０］
ワイヤレス通信の装置であって、
第１の時間期間中のワイヤレス送信を含んでいる利用可能なワイヤレス通信チャネルのセットのうちのワイヤレス通信チャネルのサブセットを識別するための手段と、
ワイヤレス通信チャネルの前記サブセット上でワイヤレス通信を受信するための手段と、
ワイヤレス通信チャネルの前記サブセットの前記ワイヤレス通信チャネル中の完全性検査情報を決定するための手段と、
前記完全性検査情報に少なくとも部分的に基づいて、ワイヤレス通信チャネルの前記識別されたサブセットが、前記第１の時間期間中の前記ワイヤレス通信の送信のために使用されたワイヤレス通信チャネルの実際のサブセットと同じであるかどうかを決定するための手段と
を備える装置。
［Ｃ４１］
前記完全性検査情報に少なくとも部分的に基づいて、ワイヤレス通信チャネルの１つまたは複数の他のサブセットが、潜在的に、前記第１の時間期間中の前記ワイヤレス通信の送信のために使用されたワイヤレス通信チャネルの前記実際のサブセットであり得るかどうかを決定するための手段
をさらに備える、Ｃ４０に記載の装置。
［Ｃ４２］
ワイヤレス通信チャネルの前記サブセットを識別するための前記手段が、
ワイヤレス通信チャネルの前記サブセットの前記ワイヤレス通信チャネルの各々上で基準信号（ＲＳ）を受信するための手段
を備える、Ｃ４０に記載の装置。
［Ｃ４３］
前記完全性検査情報が、ワイヤレス通信チャネルの前記サブセットの前記ワイヤレス通信チャネルの各々上で前記ＲＳの後に送信される、Ｃ４２に記載の装置。
［Ｃ４４］
ワイヤレス通信チャネルの前記識別されたサブセットとは異なるワイヤレス通信チャネルの１つまたは複数の候補サブセットを識別するための手段と、
前記１つまたは複数の候補サブセットのうちの第１の候補サブセットが前記第１の時間期間中の前記ワイヤレス通信の送信のために使用されたと決定するための手段と、
前記第１の候補サブセットに基づいて前記ワイヤレス通信の少なくとも一部分を復号するための手段と
をさらに備える、Ｃ４０に記載の装置。
［Ｃ４５］
１つまたは複数の候補サブセットを識別するための前記手段は、
別の送信機が、利用可能なワイヤレス通信チャネルの前記セットのうちの第１のワイヤレス通信チャネルを使用して送信していると決定するための手段と、
ワイヤレス通信チャネルの前記サブセットと前記第１のワイヤレス通信チャネルとを含む第１の候補サブセットを識別するための手段と
を備える、Ｃ４４に記載の装置。
［Ｃ４６］
ワイヤレス通信チャネルの前記サブセットを識別するための前記手段が、
ワイヤレス通信チャネルの前記セットの各ワイヤレス通信チャネルのエネルギーレベルを測定するための手段と、
ワイヤレス通信チャネルの前記サブセットを、しきい値を超える前記測定されたエネルギーレベルを有するワイヤレス通信チャネルの前記セットの各チャネルとして識別するための手段と
を備える、Ｃ４４に記載の装置。
［Ｃ４７］
１つまたは複数の候補サブセットを識別するための前記手段は、
利用可能なワイヤレス通信チャネルの前記セットのうちの第１のワイヤレス通信チャネルのための前記測定されたエネルギーレベルが、前記しきい値からのあらかじめ定義された範囲内にあると決定するための手段と、
ワイヤレス通信チャネルの前記サブセットと前記第１のワイヤレス通信チャネルとを含む第１の候補サブセットを識別するための手段と
を備える、Ｃ４６に記載の装置。
［Ｃ４８］
ワイヤレス通信チャネルの前記サブセットの前記ワイヤレス通信チャネルの各々上で基準信号（ＲＳ）を受信するための手段をさらに備え、ここにおいて、前記第１の候補サブセットが前記ＲＳに少なくとも部分的に基づいて決定される、
Ｃ４４に記載の装置。
［Ｃ４９］
決定するための前記手段は、
利用可能なワイヤレス通信チャネルの前記セットのうちのどのワイヤレス通信チャネルがワイヤレス通信チャネルの前記サブセット中に含まれるかに少なくとも部分的に基づいて、ワイヤレス通信チャネルの前記サブセットの各ワイヤレス通信チャネル上の前記送信内の前記完全性検査情報のロケーションを決定するための手段と、
前記完全性検査情報の前記決定されたロケーションの各々のための対数尤度比（ＬＬＲ）を決定するための手段と、
ワイヤレス通信チャネルの前記サブセットに関連するビットシーケンスを使用して前記ＬＬＲをデスクランブルするための手段と、
前記デスクランブルされたＬＬＲとワイヤレス通信チャネルの前記サブセットに関連する前記ビットシーケンスとの間の相関に少なくとも部分的に基づいてソフトメトリックを算出するための手段と
を備える、Ｃ４０に記載の装置。
［Ｃ５０］
前記ソフトメトリックがしきい値を下回るとき、前記識別されたサブセット以外の利用可能なワイヤレス通信チャネルの前記セットのうちの別のサブセットが前記第１の時間期間中の前記ワイヤレス通信の送信のために潜在的に使用され得ると決定するための手段と、
前記ソフトメトリックが前記しきい値を上回るとき、ワイヤレス通信チャネルの前記識別されたサブセットが前記第１の時間期間中の前記ワイヤレス通信の送信のために実際に使用されたと決定するための手段と
をさらに備える、Ｃ４９に記載の装置。
［Ｃ５１］
前記完全性検査情報が、前記決定されたロケーションにおけるＲＥに一様にハッシングされた前記ビットシーケンスを備え、ここにおいて、前記決定されたロケーションは、利用可能なワイヤレス通信チャネルの前記セットのうちのどのワイヤレス通信チャネルが前記ワイヤレス通信を送信するために使用されるかに少なくとも部分的に基づいて決定される、Ｃ４９に記載の装置。
［Ｃ５２］
前記完全性検査情報の前記ビットシーケンスは、利用可能なワイヤレス通信チャネルの前記セットのうちのどのワイヤレス通信チャネルが前記ワイヤレス通信を送信するために使用されるかに少なくとも部分的に基づいて識別される、Ｃ４９に記載の装置。
［Ｃ５３］
前記完全性検査情報が、レイヤ１（Ｌ１）チャネルを使用して送信される、Ｃ４０に記載の装置。
［Ｃ５４］
前記Ｌ１チャネルがＰＨＹフレームフォーマットインジケータチャネル（ＰＦＦＩＣＨ）である、Ｃ５３に記載の装置
［Ｃ５５］
前記完全性検査情報が、ユーザ機器（ＵＥ）固有リソース要素（ＲＥ）ＱＰＳＫシーケンスを備える、Ｃ５３に記載の装置。
【図１】
0006657384.tif 000002
【図２】
0006657384.tif 000003
【図３】
0006657384.tif 000004
【図４】
0006657384.tif 000005
【図５】
0006657384.tif 000006
【図６】
0006657384.tif 000007
【図７】
0006657384.tif 000008
【図８】
0006657384.tif 000009
【図９】
0006657384.tif 000010
【図１０】
0006657384.tif 000011
【図１１】
0006657384.tif 000012
【図１２】
0006657384.tif 000013
【図１３】
0006657384.tif 000014
【図１４】
0006657384.tif 000015
【図１５】
0006657384.tif 000016
【図１６】
0006657384.tif 000017
【図１７】
0006657384.tif 000018